(57)【特許請求の範囲】
【請求項１】
貯蔵室を備える本体と、
前記本体の前面に形成される開口部を選択的に開閉するように前記本体に回動可能に設けられたドアと、
前記ドアに設けられたハンドルと、
上方及び下方に動くように前記ハンドルに設けられたボタンと、
前記ボタンとともに上方及び下方に動くように前記ボタンと連結される一端部を有するプッシュレバーと、
前記プッシュレバーの他端部と連結される第１アームと回転軸を有するリンク部材と、
前記リンク部材の第２アームと連結される解除ピンと、を備え、
前記プッシュレバー、前記リンク部材及び前記解除ピンは、前記ドアに設けられ、前記解除ピンは、前記リンク部材及び前記プッシュレバーを介して前記ボタンの押下によって押されることを特徴とする冷蔵庫。
【請求項２】
前記プッシュレバーは、
前記ハンドルに設けられ、その一端部が前記ボタンと接触するスライダと、
前記スライダの一端部から延長される突起と、
前記突起を取り囲みながら前記スライダの他端部と前記ハンドルの下部との間に設けられ、前記ボタンを初期位置に復元させるバネと、
前記ハンドルの外部に設けられ、前記スライダから水平方向に延長される水平延長部と、
前記水平延長部から垂直に延長される垂直延長部と、を備え、
前記リンク部材の一端部は、前記垂直延長部の端部に連結される、
請求項１に記載の冷蔵庫。
【請求項３】
前記リンク部材が収容され、前記ドアの内部に設けられるケースと、
前記ケースの内部に設けられる前記リンク部材を回動可能に支持する少なくとも一つの軸受と、をさらに備える、
請求項２に記載の冷蔵庫。
【請求項４】
前記リンク部材は、
前記少なくとも一つの軸受が連結されるメインロッドと、
前記メインロッドの一端部から第１方向に延長され、先端部が前記プッシュレバーの前記垂直延長部の一端部と連結される前記第１アームと、
前記メインロッドの他端部から第２方向に延長され、先端部が選択的に前記解除ピンと接触可能に設けられる前記第２アームと、を備える、
請求項３に記載の冷蔵庫。
【請求項５】
前記ボタンの加圧時に、前記プッシュレバーは前記ボタンに対する加圧方向に動くように設けられ、これによって前記リンク部材が回転し、前記第２アームの先端部が前記解除ピンと接触して前記解除ピンを加圧する、
請求項４に記載の冷蔵庫。
【請求項６】
前記リンク部材の回転を制限するストッパ装置をさらに備え、
前記ストッパ装置は、
前記垂直延長部に設けられているスロットに移動可能に設けられるプッシュバーと、
前記垂直延長部に設けられる回転軸に回動可能に装着されるストッパと、を備え、
前記ストッパの第１端部は、前記プッシュバーに回動可能に連結され、
前記ストッパの第２端部は、前記垂直延長部に設けられた掛止突起によって掛合可能に設けられた、
請求項２に記載の冷蔵庫。
【請求項７】
前記ドアが開く場合に、前記プッシュバーは、前記スロットの外部に突出され、前記リンク部材の回転と前記プッシュレバーの下方移動を防止するために、前記ストッパの第２端部は前記掛止突起に掛かるように設けられ、
前記ドアが閉じる場合に、前記プッシュバーは、前記スロットの内部に復帰し、前記リンク部材の回転と前記プッシュレバーの自由な下方移動が可能となるように、前記ストッパの第２端部は自由に回転できるように設けられる、
請求項６に記載の冷蔵庫。
【請求項８】
第１モード時に前記ドアと連結され、第２モード時に前記本体と連結されるラッチ装置をさらに備え、
前記解除ピンは、前記ラッチ装置の作動部に選択的に接触可能なように設けられ、前記作動部は、前記解除ピンの加圧によって動いて前記ラッチ装置の結合状態を解除させるように設けられる、
請求項１に記載の冷蔵庫。
【請求項９】
第１モード時に前記ドアに連結され、第２モード時に前記本体に連結される貯蔵容器と、
前記第１モード時に前記貯蔵容器を前記ドアに連結させ、前記第２モード時に前記貯蔵容器を前記本体に連結させるラッチ装置と、をさらに備える、
請求項１に記載の冷蔵庫。
【請求項１０】
前記解除ピンは、前記ラッチ装置の作動部と選択的に接触可能に設けられ、前記解除ピンの加圧によって加圧部が動く場合に、前記ドアと前記貯蔵容器との結合が解除され、前記本体と前記貯蔵容器とが結合され、または、前記本体と前記貯蔵容器との結合が解除され、前記ドアと前記貯蔵容器とが結合される、
請求項９に記載の冷蔵庫。
【請求項１１】
前記ラッチ装置は、
ハウジングと、
前記ハウジングに回動可能に設けられ、前記第１モード時に、前記ドアの背面に設けられた固定部に掛かり、前記第２モード時に、前記本体に設けられた掛止案内溝に掛かる掛止部と、を備える、
請求項１０に記載の冷蔵庫。
【請求項１２】
前記ラッチ装置は、
前記ハウジングの内部に回動可能に設けられ、前記掛止部の移動を案内するように前記掛止部と連結される移動案内部と、
前記ハウジングに回動可能に設けられ、前記掛止部の回動を制限する回動制限部と、
前記掛止部から延長され、前記ハウジングを貫通し、前記本体の掛合溝に選択的に収容可能に設けられた掛止ピンと、を備える、
請求項１１に記載の冷蔵庫。
【発明の詳細な説明】
【技術分野】
【０００１】
本発明は、冷蔵庫に関し、特に、ドアまたは本体に選択的に配置することができるラッチ装置を備えた冷蔵庫に関する。
【背景技術】
【０００２】
一般に、冷蔵庫とは、圧縮機、凝縮機、膨脹弁、蒸発機などからなる冷凍サイクルにより生成された冷気を吐き出すことで、庫内の温度を下げ、食べ物などを冷凍または冷蔵保管する装置をいう。
【０００３】
冷蔵庫は、食べ物または飲み物を凍らせて保管する冷凍室と、食べ物または飲み物を低温で保管する冷蔵室と、を有してなることが一般的である。
【０００４】
このような冷蔵庫は、冷凍室が冷蔵室の上部に配置されているトップマウントタイプ（Ｔｏｐ  Ｍｏｕｎｔ  Ｔｙｐｅ）と、冷凍室が冷蔵室の下部に配置されているボトムフリーザータイプ（Ｂｏｔｔｏｍ  Ｆｒｅｅｚｅｒ  Ｔｙｐｅ）と、冷凍室と冷蔵室が隔壁により左右に区画しているサイドバイサイドタイプ（Ｓｉｄｅ  Ｂｙ  Ｓｉｄｅ  Ｔｙｐｅ）とに分類される。
【０００５】
冷蔵庫は、冷凍サイクルを循環する冷媒と熱交換しながら発生する冷気を用いて冷凍室または冷蔵室のような貯蔵室を冷却する。そのため、冷蔵庫における貯蔵室の内部は、通常、外部より低い温度に維持される。
【０００６】
冷凍室及び冷蔵室は、冷蔵庫の本体となるキャビネットの内部に設けられ、それぞれ、冷凍室ドア及び冷蔵室ドアにより選択的に開閉される。
【０００７】
冷凍室ドア及び冷蔵室ドアは、前面が開口されている冷凍室と冷蔵室に回動可能に取り付けられ、各ドアには、貯蔵室内部の密閉のためにガスケットが設けられている。
【０００８】
冷凍室ドアまたは冷蔵室ドアには、小さい貯蔵品を貯蔵するための貯蔵容器が設けられていてもよい。
【０００９】
近年、多様な消費者の要求に対応し、且つドアを頻繁に開閉するに伴う冷気の損失を防止するために、冷蔵室ドアまたは冷凍室ドアに貯蔵容器の入口となる開口部を形成し、貯蔵容器のドアを当該冷蔵室ドアまたは冷凍室ドアに対して回動可能に取り付ける構造が開発され使用されている。
【００１０】
このような貯蔵容器ドアを開き、ドアを貫通する空間に設けられている収納空間から食べ物を取り出したり、収納空間に食べ物を収納したりすることができる。
【００１１】
貯蔵容器ドアには、例えば、韓国公開特許１０−２０１１−００６７９５２に開示されているように、冷蔵室ドアまたは冷凍室ドアの中間部に開口部を形成し、該開口部を開閉するように上下に回動可能に取り付けられた貯蔵容器ドアがある。
【００１２】
冷蔵室ドアまたは冷凍室ドアが冷蔵庫本体にヒンジで回動可能に取り付けられており、該冷蔵室ドアまたは冷凍室ドアに貯蔵容器ドアが回動可能に取り付けられる構成となっている。
【００１３】
冷蔵室ドア及び冷凍室ドアでは、冷蔵庫本体の前面に接する内面周縁部に、冷蔵室及び冷凍室の密閉のためにガスケットが設けられている。
【００１４】
同様に、貯蔵容器ドアの内面周縁部における、冷凍室または冷蔵室ドアと接する部位にも、貯蔵容器ドア内部の収納空間を密閉するためのガスケットが設けられている。
【００１５】
しかしながら、冷凍室または冷蔵室ドアと貯蔵容器ドアには別途のガスケットがそれぞれ設けられているため、貯蔵容器ドアがなく、ガスケットが１つのみ設けられている場合に比べて、２つのガスケットから冷気損失がより増加してしまうという問題点があった。
【００１６】
また、ガスケットに接する部位である、本体の前面、及び冷蔵室または冷凍室ドアの前面には、内外部の温度差により結露が発生するが、これを防止するためには、それらの箇所にヒータを内蔵して加熱しなければならなかった。
【００１７】
そのため、結露を防止するためのヒータが２個必要となり、その分、消費電力が増加するといった問題点もあった。
【発明の概要】
【発明が解決しようとする課題】
【００１８】
本発明は、上記の従来における問題点を解決するために案出されたもので、ドアに別途の貯蔵容器ドアを備えず、貯蔵容器が本体とドアとの間に選択的に着脱自在に結合して支持されるようにした冷蔵庫を提供することを課題の一つとする。
【課題を解決するための手段】
【００１９】
上記課題を達成するために、本発明の一態様は、貯蔵室を備える本体と、前記本体の前面に形成される開口部を選択的に開閉するように前記本体に回動可能に設けられたドアと、前記ドアに設けられたハンドルと、前記ハンドルに設けられたボタンと、前記ボタンと連結される一端部を有するプッシュレバーと、前記プッシュレバーの他端部と連結される一端部を有するリンク部材と、前記リンク部材の他端部と連結される解除ピンと、を備え、前記プッシュレバー、前記リンク部材及び前記解除ピンは、前記ドアに設けられ、前記解除ピンは、前記リンク部材及び前記プッシュレバーを介して前記ボタンの押下によって押されることを特徴とする冷蔵庫を提供する。
【００２０】
前記プッシュレバーは、前記ハンドルに設けられ、その一端部が前記ボタンと接触するスライダと、前記スライダの一端部から延長される突起と、前記突起を取り囲みながら前記スライダの他端部と前記ハンドルの下部との間に設けられ、前記ボタンを初期位置に復元させるバネと、前記ハンドルの外部に設けられ、前記スライダから水平方向に延長される水平延長部と、前記水平延長部から垂直に延長される垂直延長部と、を備え、前記リンク部材の一端部は、前記垂直延長部の端部に連結される。
【００２１】
前記冷蔵庫は、前記リンク部材が収容され、前記ドアの内部に設けられるケースと、前記ケースの内部に設けられる前記リンク部材を回動可能に支持する少なくとも一つの軸受と、をさらに備える。
【００２２】
前記リンク部材は、前記少なくとも一つの軸受が連結されるメインロッドと、前記メインロッドの一端部から第１方向に延長され、先端部が前記プッシュレバーの前記垂直延長部の一端部と連結される第１アームと、前記メインロッドの他端部から第２方向に延長され、先端部が選択的に前記解除ピンと接触可能に設けられる第２アームと、を備える。
【００２３】
前記ボタンの加圧時に、前記プッシュレバーは前記ボタンに対する加圧方向に動くように設けられ、これによって前記リンク部材が回転し、前記第２アームの先端部が前記解除ピンと接触して前記解除ピンを加圧する。
【００２４】
前記冷蔵庫は、前記リンク部材の回転を制限するストッパ装置をさらに備え、前記ストッパ装置は、前記垂直延長部に設けられているスロットに移動可能に設けられるプッシュバーと、前記垂直延長部に設けられる回転軸に回動可能に装着されるストッパと、を備え、前記ストッパの第１端部は、前記プッシュバーに回動可能に連結され、前記ストッパの第２端部は、前記垂直延長部に設けられた掛止突起によって掛合可能に設けられる。
【００２５】
前記ドアが開く場合に、前記プッシュバーは、前記スロットの外部に突出され、前記リンク部材の回転と前記プッシュレバーの下方移動を防止するために、前記ストッパの第２端部は前記掛止突起に掛かるように設けられ、前記ドアが閉じる場合に、前記プッシュバーは、前記スロットの内部に復帰し、前記リンク部材の回転と前記プッシュレバーの自由な下方移動が可能となるように、前記ストッパの第２端部は自由に回転できるように設けられる。
【００２６】
前記冷蔵庫は、第１モード時に前記ドアと連結され、第２モード時に前記本体と連結されるラッチ装置をさらに備え、前記解除ピンは、前記ラッチ装置の作動部に選択的に接触可能なように設けられ、前記作動部は、前記解除ピンの加圧によって動いて前記ラッチ装置の結合状態を解除させるように設けられる。
【００２７】
前記冷蔵庫は、第１モード時に前記ドアに連結され、第２モード時に前記本体に連結される貯蔵容器と、前記第１モード時に前記貯蔵容器を前記ドアに連結させ、前記第２モード時に前記貯蔵容器を前記本体に連結させるラッチ装置と、をさらに備える。
【００２８】
前記解除ピンは、前記ラッチ装置の作動部と選択的に接触可能に設けられ、前記解除ピンの加圧によって加圧部が動く場合に、前記ドアと前記貯蔵容器との結合が解除され、前記本体と前記貯蔵容器とが結合され、または、前記本体と前記貯蔵容器との結合が解除され、前記ドアと前記貯蔵容器とが結合される。
【００２９】
前記ラッチ装置は、ハウジングと、前記ハウジングに回動可能に設けられ、前記第１モード時に、前記ドアの背面に設けられた固定部に掛かり、前記第２モード時に、前記本体に設けられた掛止案内溝に掛かる掛止部と、を備える。
【００３０】
前記ラッチ装置は、前記ハウジングの内部に回動可能に設けられ、前記掛止部の移動を案内するように前記掛止部と連結される移動案内部と、前記ハウジングに回動可能に設けられ、前記掛止部の回動を制限する回動制限部と、前記掛止部から延長され、前記ハウジングを貫通し、前記本体の掛合溝に選択的に収容可能に設けられた掛止ピンと、を備える。
【発明の効果】
【００３１】
本発明の冷蔵庫によれば、補助ドアは省き、メーンドアのみ備えたため、２個のガスケットを通じた冷気損失と２個のヒータによる電力消費を低減することが可能になる。
【００３２】
また、一つのドア内側において本体とドアとの間に貯蔵容器が着脱自在に結合して支持されるようにした冷蔵庫としたため、使用者が便利に使用することができる。
【００３３】
貯蔵容器に使用者が貯蔵品を収納したり取り出したりする場合に、貯蔵容器が貯蔵室の前方を密閉するため、貯蔵室の冷気損失を防止することができる。
【００３４】
一方、ボタンによって動作するラッチ装置が設けられ、ラッチ装置の動作によって貯蔵容器とドアが結合または分離可能である。
【００３５】
すなわち、使用者が貯蔵室に接近する必要がある場合に、ボタンを押さないでドアを引くと、ラッチ装置によってドアと貯蔵容器とが結合して同時に開いて貯蔵室が開放される。
【００３６】
逆に、使用者が貯蔵容器に接近する必要がある場合に、ボタンを押してドアを引くと、ラッチ装置によってドアと貯蔵容器とが分離され、貯蔵容器は貯蔵室の入口に結合し、貯蔵容器が開放される。
【００３７】
一方、ラッチ装置は、掛止部と、掛止部を運動させる運動案内部と、掛止部と固定部材の分離時に掛止部の回転を制限する回転制限部と、を備えることによって、より正確で速かに貯蔵容器とドアとの間、または貯蔵容器と本体との間の結合を可能にさせる。
【００３８】
さらに、ラッチ装置に加えて、貯蔵容器とドアとの間に連結または連結解除がなされるようにする連結支持装置が設けられることによって、貯蔵容器がドアに結合する場合に、その結合をより安定的にすることができる。
【００３９】
また、使用者が貯蔵容器に貯蔵品を収納したり取り出したりする場合に、貯蔵容器がドアに装着されるのではなく本体に安定的に支持されるため、ドアの回動によって収納物が揺れることを防止することができる。
【００４０】
また、貯蔵容器が装着された位置にかかわらず、貯蔵室と別に設けられ、ドアを開いた時に食べ物を取り出せる補助貯蔵室を備え、冷蔵庫をより便利に使用することができる。
【図面の簡単な説明】
【００４１】
【図１】本発明に係る冷蔵庫において貯蔵容器が開放されている状態を示す斜視図である。
【図２】本発明に係る冷蔵庫において貯蔵室が開放されている状態を示す斜視図である。
【図３Ａ】本発明に係る貯蔵容器の様々な配置位置を示す平断面図である。
【図３Ｂ】本発明に係る貯蔵容器の様々な配置位置を示す平断面図である。
【図３Ｃ】本発明に係る貯蔵容器の様々な配置位置を示す平断面図である。
【図４】本発明に係る貯蔵容器とドアの分解斜視図である。
【図５】本発明に係る連結支持装置が貯蔵容器に設けられている様子を示す斜視図である。
【図６】本発明に係る連結支持装置が貯蔵容器に設けられている様子を示す斜視図である。
【図７Ａ】本発明に係る連結支持装置の斜視図である。
【図７Ｂ】本発明に係る連結支持装置の斜視図である。
【図８】本発明に係る連結支持装置の分解斜視図である。
【図９】本発明に係る連結支持装置とドアの固定部とが連結されている状態を示す側面図である。
【図１０】本発明に係る連結支持装置とドアの固定部とが分離されている状態を示す側面図である。
【図１１】本発明に係るドアの固定部と固定部材の斜視図である。
【図１２】本発明の連結支持装置の他の実施例を示す斜視図である。
【図１３】連結支持装置の留め金が回動して開いている状態を示す斜視図である。
【図１４】図１２における連結支持装置において過回転防止突部を示すために、連結支持装置のブラケット一側部を省略して示す斜視図である。
【図１５】図２における冷蔵庫において補助貯蔵室の引出しが分離されている状態を示す斜視図である。
【図１６Ａ】図２における冷蔵庫において補助貯蔵室の引出しを示す斜視図である。
【図１６Ｂ】図２における冷蔵庫において補助貯蔵室の引出しを示す斜視図である。
【図１７】貯蔵容器を分離して示す斜視図である。
【図１８】図１７における貯蔵容器にローラ装置が装着されている様子を示す斜視図である。
【図１９Ａ】本発明のローラ装置を示す斜視図である。
【図１９Ｂ】本発明のローラ装置を示す斜視図である。
【図２０】図１９Ａ及び図１９Ｂにおけるローラ装置の分解斜視図である。
【図２１】ローラ装置が本体側に結合して支持されている状態を示す部分側断面図である。
【図２２】ローラ装置がドアのローラ支持突部に接している状態を示す部分側断面図である。
【図２３】本発明に係る第１ラッチ装置が貯蔵容器に装着される様子を示す斜視図である。
【図２４】本発明に係る第１ラッチ装置の斜視図である。
【図２５】本発明に係る第１ラッチ装置の分解斜視図である。
【図２６】本発明に係る第２ラッチ装置が貯蔵容器に装着される様子を示す斜視図である。
【図２７】本発明に係る第２ラッチ装置の斜視図である。
【図２８】本発明に係る第２ラッチ装置の分解斜視図である。
【図２９】本発明に係るドアとラッチスイッチ装置の斜視図である。
【図３０】本発明に係る貯蔵容器とドアの分解斜視図である。
【図３１】本発明に係る第１ラッチ装置の他の実施例が貯蔵容器に装着される様子を示す斜視図である。
【図３２】本発明に係る第２ラッチ装置の他の実施例が貯蔵容器に装着される様子を示す斜視図である。
【図３３】本発明に係る第１ラッチ装置及び第２ラッチ装置の他の実施例の斜視図である。
【図３４】本発明に係る第１ラッチ装置の他の実施例の分解斜視図である。
【図３５】本発明に係る第２ラッチ装置の他の実施例の分解斜視図である。
【図３６】本発明に係る第１、２ラッチ装置の他の実施例の掛止部が連結部によって連結される様子を示す斜視図である。
【図３７】図３６において第１、２ラッチ装置の他の実施例の掛止部が連結部によって連結される様子を示す拡大斜視図である。
【図３８】本発明に係る第１ガイド支持部と固定部材の斜視図である。
【図３９】本発明に係る第２ガイド支持部と固定部材の斜視図である。
【図４０】ドア取手の一側に装着されるラッチスイッチ装置のリンク構造を示す斜視図である。
【図４１】ラッチスイッチ装置の分解斜視図である。
【図４２】ラッチスイッチ装置の作動を示すためにリンク部材の軸方向から見た側面図である。
【図４３】図４２におけるラッチスイッチ装置においてボタンを押してリンク部材が回動してある状態を示す側面図である。
【図４４】ドア取手の一側に装着されるラッチスイッチ装置とストッパ装置の構造を示す斜視図である。
【図４５】ラッチスイッチ装置の分解斜視図である。
【図４６】ラッチスイッチ装置とストッパ装置の作動を示すためにリンク部材の軸方向から見た側面図である。
【図４７】図４６におけるラッチスイッチ装置とストッパ装置が作動した状態を示す側面図である。
【図４８Ａ】本発明に係る第１ラッチ装置及び第２ラッチ装置に固定部材が結合している様子を示す平面図である。
【図４８Ｂ】本発明に係る第１ラッチ装置及び第２ラッチ装置に固定部材が結合している様子を示す平面図である。
【図４９】図４８Ａ及び図４８Ｂにおいて掛止部の位置を示す平面図である。
【図５０Ａ】図４８Ａ及び図４８Ｂにおいて固定部材と第１、２ラッチ装置及び第１、２ガイド支持部との関係を示す平断面図である。
【図５０Ｂ】図４８Ａ及び図４８Ｂにおいて固定部材と第１、２ラッチ装置及び第１、２ガイド支持部との関係を示す平断面図である。
【図５１Ａ】本発明に係る第１ラッチ装置と固定部材とが分離される様子を示す平面図である。
【図５１Ｂ】本発明に係る第１ラッチ装置と固定部材とが分離される様子を示す平面図である。
【図５２】図５１Ａ及び図５１Ｂにおいて掛止部の位置を示す平面図である。
【図５３Ａ】図５１Ａ及び図５１Ｂにおいて固定部材と第１、２ラッチ装置及び第１、２ガイド支持部との関係を示す平断面図である。
【図５３Ｂ】図５１Ａ及び図５１Ｂにおいて固定部材と第１、２ラッチ装置及び第１、２ガイド支持部との関係を示す平断面図である。
【図５４】本発明においてストッパ溝にストッパが挿入されている場合を示す図である。
【図５５】本発明においてストッパ溝からストッパが離脱した場合を示す図である。
【図５６】ドアに設けられる固定部と貯蔵容器に設けられる貯蔵容器支持アセンブリによってドア及び貯蔵容器が連結されている状態を示す側断面図である。
【図５７】ドアに設けられる固定部と貯蔵容器に設けられる貯蔵容器支持アセンブリによってドア及び貯蔵容器が分離されている状態を示す側断面図である。
【発明を実施するための形態】
【００４２】
以下、添付の図面を参照して、本発明の好適な実施例を詳細に説明する。
【００４３】
図１は、本発明に係る冷蔵庫の斜視図であり、図２は、図１の冷蔵庫において貯蔵容器がドアに結合された状態でドアが開いている様子を示す斜視図であり、図３Ａ乃至図３Ｃは、ドアと貯蔵容器の分解斜視図である。
【００４４】
図１及び図２に示すように、本発明に係る冷蔵庫は、内部に貯蔵室２０が設けられる本体１０と、本体の前面開口部を開閉するドア３０と、本体とドアとの間において着脱自在に結合して支持される貯蔵容器１００と、貯蔵容器１００とドア３０との間に設けられて貯蔵容器１００がドア３０に選択的に支持されるようにする連結支持装置２００と、を備える。
【００４５】
一方、ドア３０の背面において連結支持装置２００の位置に対応する部位には、連結支持装置２００が選択的に掛け止められる固定部２１０が設けられる。
【００４６】
固定部２１０は、他のドア４０の背面内部に設けられてもよい。
【００４７】
連結支持装置２００は、本体１０の貯蔵室２０の入口縁と接触するか否かによって固定部２１０と連結または連結解除される。
【００４８】
ここでは、貯蔵室２０として、上部に冷蔵室が設けられており、下部に冷凍室が設けられている冷蔵庫が示されているが、冷蔵室と冷凍室が置き換わったり、左右に設けられていたりするタイプの冷蔵庫にも同様の適用が可能である。
【００４９】
冷蔵庫のドア３０，４０はそれぞれ冷蔵室と冷凍室の前面開口部を開閉するように、本体の一側にヒンジ部１３で回動可能に取り付けられている。
【００５０】
図４に示すように、ドア３０の内面の周縁には、本体１０の前面と接する部位に密閉のためにシーリング用のガスケット３１が設けられている。
【００５１】
一方、ガスケット３１は本体１０の前面に設けられてもよい。
【００５２】
ドア３０，４０はそれぞれ取手３２，４２を有している。特に、貯蔵容器１００が装着されるドア３０の取手３２は、ドア３０の左下側の隅部に設けられることが好ましい。
【００５３】
貯蔵容器１００は、図１及び図２に示すように、本体１０とドア３０に選択的に着脱自在に支持される。
【００５４】
貯蔵容器１００は、ヒンジ部１３と連結されることなくドア３０または本体１０に直接設置される（図３Ｂ参照）。
【００５５】
すなわち、貯蔵容器１００は、ヒンジ部１３に干渉されることなく設置されることで、ドア３０に装着される場合は、ヒンジ部１３の助力なしでドア３０と共に回動運動をすることができる。
【００５６】
そのために、貯蔵容器１００とドア３０との間、または貯蔵容器１００と本体１０との間の連結または連結解除のための別途の装置が設けられる。
【００５７】
当該装置は、連結支持装置２００、第１ラッチ装置（図２４、図３１参照、５２０）及び第２ラッチ装置（図２７、図３１参照、５３０）、第１ガイド支持部（図３８、５１０）及び第２ガイド支持部（図３９、５４０）、第１、２ラッチ装置５２０，５４０の一部が選択的に挿入されるストッパ溝（図３１、図３２参照、１１１、１２１）、及び掛止案内溝（図３１、３２参照、１１２、１２２）を含む。
【００５８】
このような装置を、貯蔵容器支持アセンブリと総称する。
【００５９】
図１は、使用者が貯蔵容器１００に物を収納したり取り出したりするように貯蔵容器１００が本体１０に設置されており、ドア３０を開いたとき、貯蔵容器１００の前面が露出される場合を示す。
【００６０】
この場合、本体１０の貯蔵室２０中の冷気は貯蔵容器１００により保持される。
【００６１】
図２は、使用者が貯蔵室２０に物を収納したり取り出したりするように貯蔵容器１００がドア３０に設置されており、ドア３０を開いたとき、貯蔵室２０の前面が露出される場合を示す。
【００６２】
ドア３０の取手３２の上端部には、貯蔵容器１００の結合位置を本体１０からドア３０に切り替えるボタン６１０が設けられているとよい。
【００６３】
本発明では、貯蔵容器支持アセンブリの一部の構成の動作を選択的に制御する制御装置を備える。該制御装置６００はドアに設けられ、ドアの外部で操作可能な構成とする。
【００６４】
制御装置６００は、ボタン６１０、及び該ボタン６１０と連結される種々の構成要素を有する。
【００６５】
使用者がボタン６１０を押した状態でドア３０を開くと、図１に示すように、貯蔵容器１００がドア３０と分離されて貯蔵室２０に結合した状態となる。
【００６６】
そのため、補助貯蔵室４００の前面が露出される。
【００６７】
ボタン６１０の作動関係の詳細については後述する。
【００６８】
貯蔵容器１００は本体１０と冷蔵室ドア３０にそれぞれ支持され、且つその位置が保持されるような構成としなければならない。
【００６９】
そのために、本発明の冷蔵庫は、図４に示すように、貯蔵容器１００に第１、２ラッチ装置５２０，５３０を設けることで、貯蔵容器１００がドア３０または貯蔵室２０に選択的に支持され固定されるようにする。
【００７０】
このとき、連結支持装置２００の下部部分は貯蔵容器１００に覆われて外部には露出されず、本体１０の貯蔵室２０の入口縁２４と接触する部分のみが上部に突出して露出されるようになっている。
【００７１】
図３Ａ乃至図３Ｃは、本発明に係る冷蔵庫において貯蔵容器１００の位置による状態を示す図である。
【００７２】
図３Ａには、ドア３０が本体１０の貯蔵室２０を閉鎖した状態における貯蔵容器１００の位置を示す。
【００７３】
この場合、貯蔵容器１００は、本体１０に連結されて貯蔵室２０の前面を覆うこともでき、ドア３０に連結されて貯蔵室２０の前面を覆うこともできる。
【００７４】
ここで、貯蔵容器支持アセンブリは、本体１０、貯蔵容器１００、ドア３０に設けられることで、選択的に、貯蔵容器１００が本体１０またはドア３０に装着されるようにする。
【００７５】
図３Ｂに示すように、貯蔵容器支持アセンブリが第１モードとなり、ドア３０と貯蔵容器１００とを連結することができる。
【００７６】
第１モードを行うための貯蔵容器支持アセンブリを構成する各下位概念の装置の動作については後述する。
【００７７】
貯蔵容器支持アセンブリがドア３０と貯蔵容器１００とを連結し、使用者がドア３０を回動させると、貯蔵容器１００がドア３０と共に回動し、これによって貯蔵室２０の前面が開放または閉鎖される。
【００７８】
使用者は、貯蔵室２０から物品を取り出したり、貯蔵室２０に物品を収納したりすることができる。
【００７９】
一方、図３Ｃに示すように、貯蔵容器支持アセンブリが第２モードになり、本体１０と貯蔵容器１００とを連結することができる。第２モードを行うための貯蔵容器支持アセンブリを構成する各下部装置の動作については後述する。
【００８０】
貯蔵容器支持アセンブリが本体１０と貯蔵容器１００とを連結すると、貯蔵容器１００は貯蔵室２０の入口に連結され、その位置が固定される。
【００８１】
この状態で使用者がドア３０を回動させると、貯蔵容器１００は動かずその位置を維持し、これによって貯蔵容器１００の前面が開放または閉鎖される。
【００８２】
貯蔵容器１００の前面は開放されているため、ドア３０が開放されると、使用者は貯蔵容器１００から物品を取り出したり、貯蔵室２０に物品を収納したりすることができる。
【００８３】
この時、貯蔵室２０の内部は外部に露出されない。
【００８４】
図４に示すように、貯蔵容器１００は、貯蔵容器１００の枠部となるフレーム１１０と、フレーム１１０に装着される一つ以上の収納棚１２０と、フレーム１１０と後方から結合して、本体の貯蔵室２０と分離される収納空間を形成するカバー１３０と、を有することができる。
【００８５】
フレーム１１０は、全体的に四角形の枠部を形成し、金属材質からなることが好ましい。
【００８６】
フレーム１１０の内側には一つ以上の収納棚１２０を着脱自在に装着することができる。該収納棚１２０は、貯蔵容器１００が概して上下方向に長い直方体状の収納空間を形成することから、空間活用度を高めるために貯蔵容器１００の内部の収納空間を複数個に区画する役割を果たす。
【００８７】
そのために、収納棚１２０は、２個以上が上下方向に所定の間隔をおいて配置されることが好ましい。
【００８８】
また、貯蔵容器１００は、その内部収納空間を本体内部の貯蔵室２０と分離するために、フレーム１１０の後方から結合されるカバー１３０を有する。
【００８９】
カバー１３０は、収納棚１２０がフレーム１１０に装着された状態でフレーム１１０の後方からフレーム１１０の外側面を取り囲むようにネジなどで結合するとよい。
【００９０】
カバー１３０は冷蔵室２０に対向するように配置されるとよい。
【００９１】
カバー１３０は、透明な材質で形成することが好ましい。
【００９２】
貯蔵容器１００が本体１０に装着された状態でドア３０が開いた場合に、使用者は、透明なカバー１３０を通して本体の貯蔵室２０の内部を見ることができる。
【００９３】
また、貯蔵容器１００がドア３０に装着された状態でドアが開いた場合に、使用者は、透明なカバー１３０を通して貯蔵容器の内部収納空間を見ることができ、より便利に冷蔵庫を使用することができる。
【００９４】
一方、貯蔵容器１００は収納棚１２０のみで構成してもよく、この場合、貯蔵容器支持アセンブリの一部は収納棚１２０に設けることができる。
【００９５】
この場合には、収納棚１２０と収納棚１２０との間から冷蔵室２０を見ることができる。
【００９６】
連結支持装置２００はフレーム１１０の上面中央部に配置することが好ましく、ドア３０の背面には連結支持装置２００と選択的に連結される固定部２１０を設けることができる。
【００９７】
固定部２１０は連結支持装置２００の位置に対応するようにドア３０の背面の上部に配置するとよい。
【００９８】
一方、図４には、正面から見た時に、ドア３０の左下側の隅部に装着される取手３２、貯蔵容器１００の左下側の隅部と左上側の隅部に設けられる第１、２ラッチ装置５２０，５３０、及び貯蔵容器１００の右下側の隅部と右上側の隅部に設けられる第１、２ガイド支持部５１０，５４０が示されている。
【００９９】
ドア３０の取手が取り付けられている部分には、ラッチ装置５２０を加圧してラッチ装置５２０を動作させるラッチスイッチ装置６００が設けられる。
【０１００】
ラッチスイッチ装置６００が貯蔵容器支持アセンブリの動作を選択的に制御する制御装置を構成する。
【０１０１】
ラッチスイッチ装置６００は、ボタン６１０と連動してドア３０の後方向に力を加え、ラッチスイッチ装置６００の動作によってラッチ装置５２０が動作して、ドア３０と貯蔵容器１００との間の結合状態または掛止状態を解除することができる。
【０１０２】
すなわち、ボタン６１０を押さないと、ドア３０と貯蔵容器１００との間の結合状態または掛止状態が維持され、ボタン６１０を押すと、ドア３０と貯蔵容器１００との間の結合状態または掛止状態が解除され、貯蔵容器１００と本体１０とが結合または掛止状態となる。
【０１０３】
取手３２はドア３０の一側面にネジで結合するとよく、取手３２には、取手３２をなす垂直の棒から水平方向に延在してドアの一側面に締結されるように構成された延長部が設けられている。
【０１０４】
そして、ラッチスイッチ装置６００は、ドア３０の取手３２が締結される部位近傍においてドア３０の内部に埋設されることが好ましい。
【０１０５】
また、ドア３０の周縁部には、ラッチ装置５２０，５３０及びガイド支持部５１０，５４０に挿入されて結合または掛止される固定部材５５０が、ドア３０の背面から後方に突出して締結されている。
【０１０６】
固定部材５５０は、貯蔵容器１００のラッチ装置５２０，５３０に選択的に挿入され第１、２ラッチ装置５２０，５３０に引っ掛かることで、貯蔵容器１００がドア３０に装着されるようにする。
【０１０７】
そのため、ドア３０が回動する時に、ラッチ装置５２０，５３０と固定部材５５０との結合により、貯蔵容器１００もドア３０と共に回動運動可能になる。
【０１０８】
取手３２にはラッチスイッチ装置６００を作動させるボタン６１０が設けられており、ラッチスイッチ装置６００の内部に設けられるリンク部材（図示せず）により、ラッチ装置５２０，５３０のうち、冷蔵庫の正面から見て貯蔵容器１００の左下側に配置されているラッチ装置５２０を押してそのロック状態が解除されるようにする。
【０１０９】
そのため、使用者がドア３０の取手３２におけるボタン６１０を押し、ラッチスイッチ装置６００を介してラッチ装置５２０のロック状態を解除した後に、ドア取手３２を引くと、貯蔵容器１００は本体１０に装着された状態を維持し、ドア３０のみ回動して開くこととなる。
【０１１０】
さらに、貯蔵容器１００の下部には一対のローラ装置３００を設けることが好ましい。該ローラ装置３００も貯蔵容器支持アセンブリの一構成要素とすることができる。
【０１１１】
ローラ装置３００には複数のローラが装着され、各ローラは貯蔵容器１００を貯蔵室２０の底面または棚の上面、そして選択的にドアの内面に突設されている支持突部３５に支持させる。
【０１１２】
すなわち、貯蔵容器１００と本体１０とが連結される場合は、ローラ装置３００が貯蔵室２０の底面または棚の上面に接して貯蔵容器１００の荷重を支持する。
【０１１３】
一方、貯蔵容器１００とドア３０とが連結される場合は、ローラ装置３００がドア３０の支持突部３５に接して貯蔵容器１００の荷重を支持する。
【０１１４】
図２に示す実施例では、貯蔵容器１００が貯蔵室２０の前面開口部の全体を覆うのではなく、貯蔵室２０の最下部に設けられている引出し２６上の棚２３の上側開口部を覆うようになっている。
【０１１５】
この配置状態において、貯蔵容器１００、棚２３及び引出し２６は、貯蔵室２０の前面開口部の全体に相当する。
【０１１６】
この場合において、貯蔵容器１００が本体１０に装着されると、ローラ装置３００の１つ以上のローラは、最下側の引出し２６上にある棚２３の前方上面に支持される。
【０１１７】
また、冷蔵室２０の内部に装着される複数の棚２１，２２と最下側の引出し２６の上にある引出し２５は、貯蔵容器１００の本体への装着が可能なように、所定奥行きの位置に装着されるような形状及び寸法としている。
【０１１８】
勿論、本発明の冷蔵庫は、貯蔵容器１００が貯蔵室２０の前面開口部の全体を覆うような構成としてもよい。
【０１１９】
この場合、貯蔵容器１００の上下長は、貯蔵室２０の前面開口部の高さと略同一の寸法にすればよく、貯蔵容器１００の幅も冷蔵室２０の前面開口部の幅に対応する寸法にすればよい。
【０１２０】
このように、貯蔵容器１００は前面開口部に対応して設置することができる。
【０１２１】
また、冷蔵室２０内に引出しが２個設けられている場合に、最下側の引出し２６も、その上の引出しと同様に、貯蔵容器１００と干渉しないように、奥側に配置されるような形状及び寸法に作製しなければならない。
【０１２２】
この場合では、ローラ装置３００は、最下側の引出し２６上の棚２５ではなく、冷蔵室２０の底面に接して配置される。
【０１２３】
図４に示すように、本発明の冷蔵庫は、貯蔵容器１００を本体１０またはドア３０に選択的に固定するラッチ装置５２０，５３０及びガイド支持部５１０，５４０をさらに備えることが好ましい。
【０１２４】
ラッチ装置５２０，５３０は、貯蔵容器１００のフレーム１１０の上下部に設けられる第１ラッチ装置５２０と第２ラッチ装置５３０に相当する。
【０１２５】
第１ラッチ装置５２０は、貯蔵容器１００の前方から見て左下部に設けられ、第２ラッチ装置５３０は、貯蔵容器１００の前方から見て左上部に設けられている。
【０１２６】
第１ラッチ装置５２０と第２ラッチ装置５３０は、ドア３０のヒンジ部と反対位置にすることが好ましい。
【０１２７】
そして、ドア３０には、第１、２ラッチ装置５２０，５３０に選択的に掛合する固定部材５５０が設けられている。
【０１２８】
固定部材５５０は、第１、２ラッチ装置５２０，５３０の位置に対応するドア３０の背面に配置されるとよい。
【０１２９】
固定部材５５０は、ドア３０の隅部寄りに配置することができる。
【０１３０】
第１、２ラッチ装置５２０，５３０の反対側には、第１、２ガイド支持部５１０，５４０が設けられており、第１、２ガイド支持部５１０，５４０は、ドア３０背面に設けられている他の固定部材５５０が引っ掛かって支持されるような構成となっている。
【０１３１】
固定部材５５０は、ドア３０の背面の４つの隅部に設けられているが、ドアの回動部に隣接する箇所には、第１、２ガイド支持部５１０，５４０に挿入可能な固定部材５５０が設けられている。
【０１３２】
ドア３０の回動部の反対側には、第１、２ラッチ装置５２０，５３０に挿入されて引っ掛かる固定部材５５０が設けられている。
【０１３３】
各固定部材５５０は、上下方向に２個ずつ設けられていると好ましい。
【０１３４】
以上の細部的な構成要素の動作により、貯蔵容器１００はドア３０に連結されてドア３０と共に動くこともあり、または、ドア３０から分離されて本体１０に固定されることもある。
【０１３５】
ここで、貯蔵容器１００が本体１０に固定される場合には、第１、２ラッチ装置５２０，５３０が本体１０に引っ掛かり、また、連結支持装置２００はドア３０との連結が解除された状態となる。
【０１３６】
この状態では、ローラ装置３００の下面が本体１０に支持されて貯蔵容器１００の下方荷重を支持する。
【０１３７】
一方、貯蔵容器１００がドア３０に連結される場合にも、２つの場合を考えることができる。
【０１３８】
基本的に、貯蔵容器１００がドア３０に連結される場合には、第１、２ラッチ装置５２０，５３０がドア３０と連結され、本体１０との連結状態は解除される。
【０１３９】
この状態でドア３０が開くと、連結支持装置２００はドア３０と連結されて、貯蔵容器１００が下方へ移動することを防止する。
【０１４０】
一方、ローラ装置３００は、本体１０に支持されるのではなく、ドア３０の下部に設けられる支持面３５に支持されて、貯蔵容器１００の荷重を支持する。
【０１４１】
一方、ドア３０が閉じると、連結支持装置２００はドア３０との連結が解除され、ローラ装置３００は本体１０に支持される。
【０１４２】
連結支持装置２００がドア３０と連結解除されても、貯蔵容器１００は本体１０の内部に収容されて支持されるため、その位置は安定して保持される。
【０１４３】
図５に示すように、連結支持装置２００は貯蔵容器１００の上部に配置されるもので、貯蔵室の入口縁２４と接している時と接していない時において、その内部構成要素の位置が変わるようになっている。
【０１４４】
連結支持装置２００の具体的な構造及びその動作については後述する。
【０１４５】
図６に示すように、連結支持装置２００は、フレーム１１０に結合されるブラケット２４０と、ブラケット２４０に回動可能に設けられ、その上部が貯蔵室（図２参照、２０）の入口の上部に接触可能な回動部材２２０と、該回動部材２２０と接触可能に設けられ、回動部材２２０と接触するか否かによって、ドア（図３Ａ乃至図３Ｃ参照、３０）に設けられている固定部２１０に連結または連結解除される連結部材２３０と、備える。
【０１４６】
図７Ａ及び図７Ｂは、本発明の連結支持装置２００の斜視図であり、図８は、連結支持装置２００の分解斜視図である。
【０１４７】
連結支持装置２００は、貯蔵容器１００が本体１０に装着される時に、本体の上部内面に押されて回動する回動部材２２０と、ヒンジ部材２２０により押されて回動する連結部材２３０と、回動部材２２０と連結部材２３０を回動可能に支持し、貯蔵容器１００の上部に結合されるブラケット２４０と、を有することが好ましい。
【０１４８】
【表１】
0005385429.tif 000002
【０１４９】
ブラケット２４０の両側面は、脚状に延在している。
【０１５０】
ブラケット２４０の両側面の間に、回動部材２２０と連結部材２３０の回動軸２２６，２３６がそれぞれ回動可能に設けられている。
【０１５１】
回動部材２２０は、図７Ａ及び図７Ｂに示すように、側方から見て、ブラケット２４０の左側上部に回動軸２２６が装着され、回動軸２２６の中央部に、後述する接触部２２２と押し部２２４が設けられている。
【０１５２】
連結部材２３０は、回動部材２２０の一側が本体の上部内面により押されて下方にまたは前方に回動する時に、回動部材２２０の一部が連結部材２３０を押すことにより回動する。
【０１５３】
連結部材２３０が回動していない状態では固定部２１０と噛み合い、連結部材２３０が回動すると、固定部２１０との噛み合いが解除されるようにすることが好ましい。
【０１５４】
連結支持装置２００は、回動部材２２０が連結部材２３０を押す力が解除されると、連結部材２３０を元の状態に復帰させる弾性部材２５０をさらに備えることが好ましい。
【０１５５】
弾性部材２５０は、コイルバネとすることができるが、これに限定されるものではなく、弾性復元力を持ついずれにしてもよい。
【０１５６】
弾性部材２５０は、連結部材２３０とブラケット２４０の一側との間に連結される。
【０１５７】
弾性部材２５０は、回動部材２２０が連結部材２３０と接触して該連結部材を押して回動させる力が解除された時に、連結部材２３０を原位置に復元させる役割を果たす。
【０１５８】
すなわち、弾性部材２５０は、連結部材２３０を上方に回動移動させることで、連結部材２３０が回動部材２２０を押し上げるようにし、連結部材２３０及び回動部材２２０の位置を原位置にさせる。
【０１５９】
【表２】
0005385429.tif 000003
【０１６０】
プレート部２１２は、ドア３０の内面上部表面に複数のネジで取り付けられる。
【０１６１】
プレート部２１２は、横長の直方形を有し、両側辺部にネジの締結のための複数のネジ孔が形成されているとよい。
【０１６２】
収容部２１４は、プレート部２１２から水平に且つ一体に延在しているものが好ましい。
【０１６３】
収容部２１４の内部には、固定部２１０が回動しながら挿入されうる孔が形成されている。
【０１６４】
収容部２１４は、プレート部２１２から支持装置２２０の方向に延在する輪形態にすることが好ましいが、これに限定されるものではない。
【０１６５】
固定部２１０は、実質的に貯蔵容器１００の重さを支えなければならないため、強度に優れた材質を用いなければならない。そのため、固定部２１０は金属材質または強化プラスチックにより一体に形成することが好ましい。
【０１６６】
回動部材２２０は、ブラケット２４０に回動可能に装着される回動軸２２６と、回動軸２２６から上方に突延して貯蔵室２０の入口側と接触可能に設けられる接触部２２２と、回動軸２２６から延在し、接触部２２２と一体に形成される押し部２２４と、を備える。
【０１６７】
押し部２２４は、接触部２２２が貯蔵室２０と接触して下方に回動する場合に、接触部２２２と共に動きながら連結部材２３０を押すように構成されている。
【０１６８】
回動軸２２６は、ブラケット２４０の両側壁の間に回動可能に装着されている。
【０１６９】
接触部２２２と押し部２２４とは略垂直の角度で一体に形成され、さらには回動軸２２６にも一体に形成されてもよく、回動軸２２６に対し回動可能に装着されてもよい。
【０１７０】
接触部２２２は初期位置が垂直上方に向くようにする。この接触部２２２は、貯蔵容器１００が貯蔵室２０の方向に挿入される時に、貯蔵室２０の入口上部に設けられている傾斜面により押されながら前方及び下方に回動するようになっている。
【０１７１】
押し部２２４は、接触部２２２と一体に形成され、回動しつつ、回動軸２３６から偏心している被押し部２３２を押して回動させる。
【０１７２】
連結部材２３０は、左右方向に延在しており、押し部２２４と接触して押される被押し部２３２と、被押し部２３２の両側に設けられる回動軸２３６と、を備える。
【０１７３】
一方、被押し部２３２の両側には、回動運動をより円滑にさせる回動案内部材２３７が設けられている。なお、該回動案内部材２３７は、被押し部２３２とブラケット２４０とを離間させる役割も果たす。
【０１７４】
回動案内部材２３７は、軸受けや座金のような構造とすることが好ましい。
【０１７５】
被押し部２３２からフック部２３４が延在しており、フック部２３４は固定部２１０の方向に延びている。ただし、フック部２３４は、上方に膨らんだ下向曲面形態に延びていることが好ましい。
【０１７６】
フック部２３４を固定部２１０の収容部２１４に掛止または掛止解除しやすくするためである。
【０１７７】
連結部材２３０のフック部２３４は、上方に膨らんだ曲面形態を有し、フック部２３４と被押し部２３２との連結部位には、回動部材２２０の押し部２２４が挿入されうる挿入孔２３８が形成されていることが好ましい。
【０１７８】
挿入孔２３８は、図７Ａ、図７Ｂ及び図８に示すように、上方に膨らんだフック部２３４の中央部において被押し部２３２寄りに略直方形の形状に形成されている。
【０１７９】
一方、連結支持装置２００が貯蔵容器１００の上部に所定の間隔で複数個設けられていてもよい。
【０１８０】
連結支持装置２００により貯蔵容器１００がドア３０の内面に安定して装着された状態を保持することができ、よって、１個の連結支持装置２００により支持されるよりは、複数の支持装置により支持される方が、左右に揺れることがないため、より好ましい。
【０１８１】
一方、ブラケット２４０のいずれか一側壁には、内側に延長され、弾性部材２５０の一端部が掛かる第１掛止突部２４５が設けられている。
【０１８２】
また、被押し部２３２の上面には、弾性部材２５０の他端部が掛かる第２掛止突部２３９が設けられている。
【０１８３】
そのため、回動部材２２０の押し作用により、連結部材２３０が上方に回動運動をする場合に、弾性部材２５０の長さが延びて内部に弾性復元力が蓄積され、押し作用が解除されると、弾性復元力によって連結部材２３０が下方に回動しながら元の位置に復帰し、このような連結部材２３０の作用によって回動部材２２０も元の位置に復帰することができる。
【０１８４】
図９に示すように、回動部材２２０の接触部２２２が貯蔵室２０入口の傾斜面１５と接触しない状態では、接触部２２２は垂直に配置され、押し部２２４は水平に配置される。
【０１８５】
一方、連結部材２３０の被押し部２３２は押し部２２４と接触したり所定間隔離れていたりすることが好ましい。ただし、この場合、押し部２２４の接触があっても、押し部２２４による押し作用がないため、押し部２３２は水平状態を維持することができる。
【０１８６】
押し部２３２が水平状態を維持すると、フック部２３４の端部が固定部２１０の収容部２１４の内部に収容された状態で引っ掛かることとなる。
【０１８７】
そのため、連結支持装置２００は、固定部２１０と連結された状態となる。
【０１８８】
これは、連結支持装置２００が装着されている貯蔵容器１００と固定部２１０が装着されているドア３０との連結関係が成立したことを意味する。
【０１８９】
これで、ドア３０が回動する場合に、貯蔵容器１００もドア３０と共に動くことが可能になる。
【０１９０】
図１０に示すように、回動部材２２０の接触部２２２が貯蔵室２０の入口の傾斜面１５と接触して前方に押されると、回動部材２２０全体が前方／下方に回動する。
【０１９１】
これにより、押し部２２４が連結部材２３０の被押し部２３２を押しながら挿入孔２３８に挿入される。
【０１９２】
被押し部２３２が押されると後方／上方に回動し、これにより、フック部２３４も上方に回動する。
【０１９３】
これにより、フック部２３４は固定部２１０の収容部２１４から離脱し、連結支持装置２００と固定部２１０との連結が解除される。
【０１９４】
これは、連結支持装置２００が装着されている貯蔵容器１００と固定部２１０が装着されているドア３０との連結関係が解除されたことを意味する。
【０１９５】
これで、貯蔵容器１００は貯蔵室２０の入口に配置された状態を保持し、ドア３０が回動する場合に、貯蔵容器１００はドア３０と共に動かず、ドア３０は単独で回動することになる。
【０１９６】
図１１に示すように、ドア３０の背面上部には固定部２１０が配置される。固定部２１０は、上述したように、ドア３０の背面に装着されるプレート部２１２と、プレート部２１２から後方に延在する収容部２１４と、を備える。
【０１９７】
一方、ドア３０の背面側部には、後述するラッチ装置（図１４、５３０）に挿入されて引っ掛かる固定部材５５０が設けられており、該固定部材５５０は、ドア３０背面から延びて配置される延長脚５５１と、延長脚５５１の先端に配置され、ラッチ装置５３０に引っ掛かる固定ピン５５２と、を備える。
【０１９８】
<上部連結装置>
次に、図１２乃至図１４を参照して、他の実施例に係る連結支持装置１２００を説明する。
【０１９９】
他の実施例に係る連結支持装置１２００において、連結部材１２３０は、ブラケット１２４０に回動可能に装着される回動軸１２３６と、回動軸から延びて固定部１２１０と選択的に噛み合うフック部１２３４と、フック部の反対側に延びて回動部材１２２０により押される被押し部１２３２と、を有してなる。
【０２００】
他の実施例に係る連結支持装置１２００も、接触部１２２２と押し部１２２４が一体に形成され、回動軸１２２６上で回動する回動部材１２２０と、被押し部１２３２とフック部１２３４が一体に形成され、回動軸１２３６上で回動する連結部材１２３０と、回動部材１２２０と連結部材１２３０の回動軸が装着されるブラケット１２４０と、連結部材１２３０と噛み合う固定部１２１０と、を有してなることは、第１実施例と同一である。
【０２０１】
ただし、ここでは、連結部材１２３０の形状が、回動軸１２３６を基準に被押し部１２３２とフック部１２３４とが所定角度をもって延長形成されている点が、第１実施例と異なる。
【０２０２】
また、回動部材１２２０の接触部１２２２と押し部１２２４とは、略直角ではなく鈍角をなすように回動軸１２２６から上部と前方に延長形成されている。
【０２０３】
なお、図１４に最も詳細に示すように、バネ１２５０は、ブラケット１２４０の内側壁から突出している突起と被押し部１２３２の端部から側方に延びている突出部との間に連結されている。
【０２０４】
そして、連結支持装置１２００は、ブラケット１２４０の下部に固定されて、被押し部１２３２の回動角を制限する過回転防止部１２４５をさらに備えることが好ましい。
【０２０５】
この過回転防止部１２４５は、ブラケット１２４０において回動部材１２２０の回動軸１２２６の下に配置され、被押し部１２３２が略水平になる位置までにのみ回動するように連結部材１２３０の回動角を制限する。
【０２０６】
他の実施例に係る連結支持装置１２００の作動関係は、次の点以外は、第１実施例と略同一である。
【０２０７】
すなわち、連結支持装置１２００が冷蔵室２０の上部傾斜面１５により押されて回動すると図１３のような状態になり、貯蔵容器１００がドア３０側に結合して冷蔵室２０から分離されると、図１２のような状態となる。
【０２０８】
この時、貯蔵容器１００の自重によりフック部１２１４の端部上面は、連結部材１２３０のフック部１２３４の下面に接触しながら貯蔵容器１００を支持するようになる。
【０２０９】
まるでハンガーが洋服掛けに掛かるような形態となる。
【０２１０】
一方、ドア３０が冷蔵室２０を閉鎖すると、回動部材１２２０は、冷蔵室２０内部の前方上面に接触して前方に押される。
【０２１１】
これによって、回動部材１２２０は全体的に下方に回動し、押し部１２２４が連結部材１２３０の被押し部１２３２を押す。
【０２１２】
すると、連結部材１２３０は再び図１３のような状態に回動するため、連結部材１２３０が固定部１２１０から離れ、連結部材１２３０と固定部１２１０との連結状態が解除される。
【０２１３】
図１４に示すように、さらに、過回転防止部１２４５が連結部材１２３０の回転を制限する。
【０２１４】
<棚>
図１５に示すように、本発明の冷蔵庫は、本体１０と、本体の内部に設けられる貯蔵室２０と、本体１０にヒンジで回動可能に設けられ、貯蔵室を開閉するドア３０と、ドアまたは本体に選択的に装着される貯蔵容器１００と、本体１０の内部に貯蔵室と別途に設けられ、貯蔵容器１００の装着されている位置によらずに、ドアを開いた時に、収納されている食べ物の取り出しができるように接近可能に設けられている補助貯蔵室４００と、を備える。
【０２１５】
さらに、貯蔵室２０の内部に着脱自在に設けられる一つ以上の第１棚２１，２２と、補助貯蔵室４００の上部に設けられ、貯蔵容器１００を選択的に支持する第２棚２３と、を備えることが好ましい。
【０２１６】
第１棚２１，２２は、冷蔵室２０の内部に着脱自在に装着され、その装着高さを変更できるように構成されることが好ましい。
【０２１７】
第２棚２３は、貯蔵容器１００を選択的に支持するから、貯蔵容器１００が冷蔵室２０の前面に装着される時に該貯蔵容器を支持するように、冷蔵室２０の背面から冷蔵室の前面開口部までの長さに近い前後方向の長さを持つように形成される。
【０２１８】
これにより、貯蔵容器１００は冷蔵室２０の開口部において第２棚２３の上に選択的に結合することができる。
【０２１９】
第２棚２３は、その上に収納される食べ物や容器だけでなく、貯蔵容器１００も支持しなければならず、充分の強度を持つものとしなければならない。
【０２２０】
なお、図１５に示すように、本冷蔵庫は、本体１０の内部に設けられ、貯蔵室２０と独立している補助貯蔵室４００を備えることができる。
【０２２１】
補助貯蔵室４００は、第２棚２３と補助貯蔵室４００の底との間に引出し可能に設けられる引出し２６を有することが好ましい。
【０２２２】
引出し２６は、貯蔵容器１００が冷蔵室２０の前面に結合されている状態でドア３０を開いた時に、使用者が引き出して引出し中の食べ物を取り出すことができるようになっている。
【０２２３】
一般に、冷蔵室の下部には、野菜室が引出しの形態で設けられる場合が多いが、本発明でも、補助貯蔵室４００の前面がドア３０のみによって開閉されるよりは、引出しの形態にする方が、冷気漏れの最小化と食べ物の収納効率の側面においてより好ましい。
【０２２４】
また、本発明の冷蔵庫は、第２棚２３とその上における第１棚２２との間に引出し可能に引出し２５をさらに設けることもできる。
【０２２５】
引出し２５は、第２棚２３上に引出し可能に設けられるもので、貯蔵容器１００が本体１０に結合される時に貯蔵容器１００の後方に配置されるようになっている。
【０２２６】
引出し２５は、第１棚２２の下に配置されるもので、この引出しを第１引出しといい、１第２棚２３の下に配置されている引出し２６を第２引出しという。
【０２２７】
第１棚２２は第２棚２３に比べて、その前後方の長さがより短いとよい。
【０２２８】
第１棚２２は、貯蔵容器１００が本体１０に結合する時に貯蔵容器１００の後方に配置されるので、第１棚２２が貯蔵容器１００と接触しないように適宜の前後方向の長さにしなければならない。
【０２２９】
一方、第２棚２３は、上面前方部が貯蔵容器１００を選択的に支持するようにしなければならないことから、冷蔵室２０の前面開口部に近づくように、すなわち、ドア３０の内面に近づくように形成しなければならない。
【０２３０】
そのため、第１棚２２は第２棚２３よりも前後方の長さが短く形成される。
【０２３１】
同様に、図１６Ａ及び図１６Ｂに示すように、第１棚２２の下における第１引出し２５と第２棚２３の下における第２引出し２６も、第２引出し２６の前後方の長さが第１引出し２５よりも長く形成されることが好ましい。
【０２３２】
なお、第１引出し２５のドア３０側の表面は第１棚２２のドア３０側の端部と一致するように形成し、第２引出し２６のドア３０側の表面も第２棚２３のドア３０側の端部と一致するように形成することが好ましい。
【０２３３】
したがって、第２棚２３は、上部の貯蔵室２０と下部の補助貯蔵室４００とを区画する隔壁の機能を有する。
【０２３４】
<ローラ装置>
図１７及び図１８に示すように、貯蔵容器１００の下部には、貯蔵容器支持アセンブリとして、貯蔵容器１００を本体とドアに対して選択的に支持する一対のローラ装置３００が設けられている。
【０２３５】
ローラ装置３００は、貯蔵容器１００が本体１０に装着される時に第２棚２３の前端部上面に支持されるとよい。
【０２３６】
ローラ装置３００は、複数のローラ（図１９Ａ及び図１９Ｂ参照、３１０，３２０）を有しており、各ローラが貯蔵容器１００を、本体１０の第２棚２３の上面、そして選択的にドアの内面下部に突出形成されている支持突部３５に支持させる。
【０２３７】
図２の実施例では、貯蔵容器１００は、冷蔵室２０の前面開口部の全体を覆うように構成されているのではなく、冷蔵室２０の最下部に設けられている引出し２６上の棚２３の上方における開口部を覆うように構成されている。
【０２３８】
この場合、貯蔵容器１００が本体１０に装着されるときに、ローラ装置３００の複数のローラ３１０，３２０のうち一つのローラ３２０は、最下側の第２引出し２６上にある第２棚２３の前方上面に支持される。
【０２３９】
また、冷蔵室２０の内部に装着される複数の棚２１，２２と最下側の引出し２６の上にある引出し２５は、貯蔵容器１００の本体への装着が可能なように、所定の奥行きの位置に装着されるような形状と寸法にしている。
【０２４０】
勿論、本発明の冷蔵庫は、貯蔵容器１００が冷蔵室２０の前面開口部の全体を覆うような構成にしてもよい。
【０２４１】
この場合、貯蔵容器１００の上下長は、貯蔵室２０の前面開口部の高さと略同一の寸法にすればよく、貯蔵容器１００の幅も冷蔵室２０の前面開口部の幅に対応する寸法にすればよい。
【０２４２】
また、冷蔵室２０内に引出しが２個設けられている場合に、最下側の引出し２６も、その上の引出しと同様に、貯蔵容器１００と干渉しないように、奥側に配置されるような形状及び寸法に作製しなければならない。
【０２４３】
この場合では、ローラ装置３００は、最下側の引出し２６上の棚２５ではなく、冷蔵室２０の底面に接して配置される。
【０２４４】
図１９Ａ乃至図２２に示すように、ローラ装置３００は、ドア３０に選択的に支持される第１ローラ３１０と、本体１０に選択的に支持される第２ローラ３２０と、第１ローラ３１０及び第２ローラ３２０が回転可能に装着され、貯蔵容器１００に固定されるローラブラケット３３０と、を備えることができる。
【０２４５】
まず、ローラブラケット３３０は、第１ローラ３１０及び第２ローラ３２０を回転可能に装着して貯蔵容器１００の下部に固定されるようにする。
【０２４６】
このローラブラケット３３０は、図１９Ａ、図１９Ｂ及び図２０に示すように、ローラ３１０，３２０を覆うように形成された上部ブラケット３４０と、貯蔵容器１００に結合する部分である下部ブラケット３５０と、を有してなることが好ましい。
【０２４７】
上部ブラケット３４０には、本体１０に支持される第２ローラ３２０が一側に回転可能に装着され、下部ブラケット３５０には、ドア３０に支持される第１ローラ３１０が両側に回転可能に装着される。
【０２４８】
このために、上部ブラケット３４０及び下部ブラケット３５０には、第２ローラ３２０及び第１ローラ３１０が装着されて回転できる締結孔３４５，３５５がそれぞれ形成されている。
【０２４９】
そして、第１ローラ３１０は、ドア３０に支持されるものであるから、その回転軸が第２ローラ３２０よりも前方に配置されることが好ましい。
【０２５０】
ドア３０において貯蔵容器１００を支持する部位は、本体１０において貯蔵容器１００を支持する底面部位よりも相対的に前方（ドア側）に位置するためである。
【０２５１】
また、第１ローラ３１０及び第２ローラ３２０は、異なる高さに設けることが好ましい。
【０２５２】
第１ローラ３１０の支持されるドア３０の部位と第２ローラ３２０の支持される本体１０の底面部位の高さを異ならせることによって、貯蔵容器１００が本体とドアとの間で移送されて支持される運動メカニズムの信頼性を確保することができる。
【０２５３】
特に、第１ローラ３１０は、第２ローラ３２０よりも高く設置されることが好ましい。
【０２５４】
第１ローラ３１０と第２ローラ３２０の相対的な高さも、第１ローラ３１０を第２ローラ３２０よりも高くした方が、ローラブラケット３３０を含むローラ装置３００の耐久性がより向上し、貯蔵容器１００の着脱動作の信頼度もより高めることができる。
【０２５５】
ドア３０の内面下部には、内側方向に突出して第１ローラ３１０を支持する支持突部３５を設けることが好ましい。
【０２５６】
支持突部３５は、第１ローラ３１０が支持されるように平坦面となっている。
【０２５７】
第１ローラ３１０は、貯蔵容器１００をドア３０に密着した状態で上下方向に支持するので、回転自在な第１ローラ３１０が着座できる面が必要である。
【０２５８】
そのため、支持突部３５は、第１ローラ３１０の相対的な高さを考慮して、ドア３０の内面下部から水平方向に、すなわち、貯蔵室が位置する内側方向に所定長さだけ突出して形成される。
【０２５９】
この支持突部３５の突出長は、貯蔵容器１００がドア３０に装着された時に、支持突部３５の相対的な位置と異なる部分、特に、貯蔵容器１００との干渉を考慮して適宜設計しなければならない。
【０２６０】
また、図４に示すように、支持突部３５は、傾斜するように形成されていると好ましい。
【０２６１】
支持突部３５の上面を、ドア３０の内面に向くほど所定角度で漸次高まるように形成することによって、第１ローラ３１０が支持突部３５に接して支持される時は、貯蔵容器１００は本体１０に支持される時に比べて若干持ち上がるようにすることができる。
【０２６２】
ローラ装置３００は、貯蔵容器１００の下部に一対が対称に設けられているとよい。
【０２６３】
ローラ装置３００は貯蔵容器１００を上下方向に支持すると共に、貯蔵容器の水平状態を維持できるように支持しなければならない。
【０２６４】
このことから、ローラ装置３００が貯蔵容器１００の下部中央に一つのみ設けられるよりは、一対のローラ装置３００が貯蔵容器１００の下部に所定の間隔で配置されることが好ましい。
【０２６５】
また、第１ローラ３１０は、一対のローラからなるとよい。
【０２６６】
図１９Ａ及び図１９Ｂに示すように、第１ローラ３１０は、ローラブラケット３３０の中央部に一対のローラから構成し、第２ローラ３２０は、ローラブラケット３３０の側部に一つのローラから構成することができる。
【０２６７】
第２ローラ３２０が、一つのローラブラケット３３０の側部に装着された一つのローラであり、ローラ装置３００が一対で設けられる場合に、図１９Ａ及び図１９Ｂに示すように、左側にあるローラ装置３００と右側にあるローラ装置３００とが対称に形成されると好ましい。
【０２６８】
図２０の分解斜視図を参照して、本発明の好適な実施例に係るローラ装置３００の構造をより詳細に説明する。
【０２６９】
図２０のローラ装置３００は、図１９Ｂに示す右側ローラ装置３００の分解斜視図に該当する。
【０２７０】
上述したように、ローラ装置３００のローラブラケット３３０は、上部ブラケット３４０及び下部ブラケット３５０を含む。
【０２７１】
【表３】
0005385429.tif 000004
【０２７２】
上部ブラケット３４０の２つのプレートは、ローラ装置の上面を覆うように設けられたカバープレート３４２と、これから垂直下方に延長された装着プレート３４６と、に相当する。
【０２７３】
装着プレート３４６は、図２０の分解斜視図には示されておらず、図１７にその一部が示されており、図面符号“３４６”で表記する。
【０２７４】
また、ローラ装置３００の左側部には、第１ローラ３１０を左側で覆うように上部ブラケット３４０から一体に側壁部３４８が形成されている。
【０２７５】
上部ブラケット３４０のローラ装着部３４４には、第２ローラ３２０が装着されるようにネジ締結孔３４５が形成されている。
【０２７６】
第２ローラ３２０は、このネジ締結孔３４５に回転自在にネジ３２５により装着される。
【０２７７】
下部ブラケット３５０は、第１ローラ３１０が装着される部分であり、上面から見て全体的へ「Ｔ」状に形成されている。
【０２７８】
この下部ブラケット３５０は、貯蔵容器に装着される装着プレート３５６と、第１ローラ３１０が装着されるローラ装着部３４４とが一体に形成されている。
【０２７９】
装着プレート３５６には、貯蔵容器１００にネジで締結されるように複数のネジ締結孔が形成されている。
【０２８０】
ローラ装着部３５２は、装着プレート３５６から前方に突出形成されており、その前方端部の下側には第１ローラ３１０が装着されるようにネジ締結孔３５５が形成されている。
【０２８１】
このネジ締結孔３５５は、両側から一対のローラ３１０がネジ３１５により対称に装着できるようになっている。
【０２８２】
上部ブラケット３４０のローラ装着部３４４に形成されているネジ締結孔３４５は、下部ブラケット３５０のローラ装着部３５２に形成されているネジ締結孔３５５よりも相対的に後方に且つ下方に位置するようになっている。
【０２８３】
また、ネジ締結孔３４５，３５５の正確な位置は、第１ローラ３１０と第２ローラ３２０が貯蔵室２０の下面とドアの支持突部３５に支持されることを考慮して決定する必要がある。
【０２８４】
なお、図示してはいないが、上部ブラケット３４０の装着プレート３４６にも、下部ブラケット３５０のネジ締結孔を貫通するネジ３７０が貫通するようにネジ締結孔が形成されることが理解される。
【０２８５】
上述した実施例は、ローラアセンブリが一対で備えられている場合を説明しているが、一つのローラ装置のみ設けられてもよい。
【０２８６】
一つのローラ装置のみ備えられる場合には、第２ローラ３２０がブラケット３３０または上部ブラケット３４０の一側に一つのみ設けられる場合よりは、その両側に一対として対称に設けられることが好ましい。
【０２８７】
以下、図２１及び図２２を参照して、本発明のローラ装置３００の作動関係を説明する。
【０２８８】
図２１は、貯蔵容器１００が本体１０側に結合して支持されている状態を示す部分側断面図であり、図２２は、ローラ装置３００がドア３０の内面に形成された支持突部３５に接している状態を示す部分側断面図である。
【０２８９】
図２１に示すように、貯蔵容器１００が本体１０側に結合されると、ローラ装置３００の第２ローラ３２０が、本体１０の冷蔵室２０において最下側の引出し２６を覆う棚２３の上面に接して支持される。
【０２９０】
この場合、第１ローラ３１０は、第２ローラ３２０よりも右側により高く装着されているため、棚２３の上面に接触せず、空中に浮いている状態であることがわかる。
【０２９１】
また、図２１は、ドア３０が開いている状態であり、ドアが示されていないが、ドアが閉じている場合は、ローラ装置３００の第１ローラ３１０が、ドア３０の内面に形成されている支持突部３５に接触し、結局として両ローラ３１０，３２０とも支持される状態になる。
【０２９２】
そして、図２２に示すように、貯蔵容器１００がドア３０側に結合されると、ローラ装置３００の第１ローラ３１０がドア３０の内面に形成されている支持突部３５に接触して支持される。
【０２９３】
この場合、第２ローラ３２０は、第１ローラ３１０よりも左側に装着されているため、支持突部３５に接触せず、空中に浮いている状態であることがわかる。
【０２９４】
本発明の冷蔵庫において、ローラ装置３００は、貯蔵容器１００が本体１０またはドア３０に結合される時に、貯蔵容器１００をドア３０の支持突部３５または本体１０の内部に支持させる支持部材の役割を果たす。
【０２９５】
また、ローラ装置３００は、貯蔵容器１００がドア３０に装着され、ドア３０が回動運動をする時に、本体１０に対して大きな摩擦無しで移動できるように案内する役割も果たす。
【０２９６】
<基本ラッチ装置>
図２３には、フレーム１１０の下部に設けられる第１ラッチ装置５２０を示し、図２６には、フレーム１１０の上部に設けられる第２ラッチ装置５３０を示す。
【０２９７】
第１ラッチ装置５２０は、ドアに設けられるラッチスイッチ装置６００の動作に連動するように構成する。
【０２９８】
また、ドアの固定部材５５０が挿入される場合に、固定部材５５０を積極的に固定して、固定部材５５０が第１ラッチ装置５２０の内部に挿入されて固定された状態を保持するようにする。
【０２９９】
また、使用者がラッチスイッチ装置６００に設けられているボタン部６１０を押下すると、固定部材５５０が第１ラッチ装置５２０から分離されるように固定部材５５０を第１ラッチ装置５２０の外側に押し出す役割も果たす。
【０３００】
すなわち、第１ラッチ装置５２０は、固定部材５５０の第１ラッチ装置５２０への挿入または離脱時に、その状態がより円滑になるように積極的な役割を果たす。
【０３０１】
これに対し、図２６に示す第２ラッチ装置５３０は、固定部材５５０が挿入される場合には、実質的に固定部材５５０を固定する役割は果たさないが、これは、第２ラッチ装置５３０はラッチスイッチ装置６００と連動しないためである。
【０３０２】
第２ラッチ装置５３０に固定部材５５０が挿入される場合に、固定部材５５０の一部がその内部に円滑に挿入されることは可能である。ただし、第１ラッチ装置５２０が固定部材５５０を積極的に固定する役割を果たすのに対し、第２ラッチ装置５３０は、固定部材５５０に引っ掛かった状態を維持するだけである。
【０３０３】
ただし、使用者がラッチスイッチ装置６００を操作して、第１ラッチ装置５２０と固定部材５５０との掛止状態を解除させながらドア３０を前方に引くと、第２ラッチ装置５３０に挿入されていた固定部材５５０も外部に離脱する。
【０３０４】
この時、第２ラッチ装置５３０の一部構成要素が、第２ラッチ装置５３０に挿入されていた固定部材５５０を押して外部に離脱するように案内する役割を果たすことができる。
【０３０５】
図２３に示すように、フレーム１１０には第１ラッチ装置５２０が設けられている。第１ラッチ装置５２０は、ローラ装置３００の一側に配置されている。
【０３０６】
第１ラッチ装置５２０にはストッパ５２３と掛止ピン５２４７が設けられている。
【０３０７】
貯蔵室２０の下縁部または引出し２３の上部には、ストッパ５２３が挿入されるストッパ溝１１１と、掛止ピン５２４７が挿入される掛止案内溝１１２が設けられている。
【０３０８】
掛止案内溝１１２においてストッパ溝１１１の方向に「Ｃ」字状の延長溝が設けられている。
【０３０９】
貯蔵容器（第１対象物）１００がドア（第３対象物）３０に結着してドア３０と共に動く場合に、掛止ピン５２４７は、掛止案内溝１１２の延長溝に掛からないでドア３０の回動方向に自由に動くことができる
【０３１０】
後述するが、貯蔵容器１００がドア３０から分離される場合は、掛止ピン５２４７が延長溝の方向に動き、延長溝の掛止突部１１２ａに引っ掛かることで、貯蔵容器１００が前方に移動することを防止する。
【０３１１】
一方、ストッパ５２３は、第１ラッチ装置５２０の下部に下方に延長して設けられ、棒またはローラ形態に形成されることが好ましい。
【０３１２】
ストッパ５２３は、貯蔵容器１００がドア３０と結着した状態で回動する中で、貯蔵室（第２対象物）２０の前方を閉鎖する場合に、貯蔵容器１００が貯蔵室２０の方向に深く入らないように動きを制限する役割を果たす。
【０３１３】
ストッパ５２３がストッパ溝１１１の奥面に接することで、貯蔵容器１００が貯蔵室２０の方向に一定深さ以上入ることが防止される。
【０３１４】
図２４に示すように、第１ラッチ装置５２０は、中空の内部を有し、前方が開放されているハウジング５２１と、ハウジング５２１の内部に回動可能に設けられ、固定部材（図１１参照、５５０）または掛止案内溝（図２３参照、１１２）に引っ掛かる掛止部５２４と、を備える。
【０３１５】
また、第１ラッチ装置５２０は、ハウジング５２１の内部に回動可能に設けられ、掛止部５２４よりも下方に位置し、掛止部５２４と固定部材５５０との掛合解除状態または分離状態時に、掛止部５２４に挿入されて掛止部５２４の回動を制限する回動制限部５２５を備える。
【０３１６】
一方、ハウジング５２１の内部には、掛止部５２４と第１弾性部材（図２５参照、５２９１）によって連結されて、掛止部５２４の回動運動を案内する運動案内部（図２５参照、５２６）が設けられている。
【０３１７】
ハウジング５２１の前方には、運動案内部５２６を加圧して運動案内部５２６を回動させる加圧部５２２が設けられている。
【０３１８】
加圧部５２２は、ラッチスイッチ装置（図４参照、６００）と接触可能に設けられ、ラッチスイッチ装置６００の押す動作によってハウジング５２１の内側へ移動して、運動案内部５２６を移動させ、結局として掛止部５２４を回動させる。
【０３１９】
掛止部５２４の下面には、掛止ピン５２４７が下方に延設され、掛止部５２４の側端部には固定部材（図１１参照、５５０）が掛かって支持される掛合溝５２４２が設けられている。
【０３２０】
【表４】
0005385429.tif 000005
【０３２１】
ハウジング５２１の上面と下面には、固定部材（図１１参照、５５０）が挿入されるように案内する挿入案内溝５２１１が設けられている。
【０３２２】
ハウジング５２１の下面に設けられる挿入案内溝５２１１の一側には、掛止ピン５２４７の移動を案内する移動案内溝５２１２が設けられている。
【０３２３】
掛止部５２４が回動すると、掛止ピン５２４７も回動方向に沿って移動するが、移動案内溝５２１２は掛止ピン５２４７の移動軌跡に対応する領域を持つ。
【０３２４】
移動案内溝５２１２の領域は、図４に示す掛止案内溝（図２３参照、１１２）の平面図の形状に対応することが好ましい。
【０３２５】
ハウジング５２１の下面には下方に延在するストッパ５２３が設けられており、該ストッパ５２３は円筒形状にするとよい。
【０３２６】
図２５は、第１ラッチ装置５２０の分解斜視図である。
【０３２７】
ハウジング５２１は、上述したように、上面と下面にそれぞれ挿入案内溝５２１１が設けられ、下面には移動案内溝５２１２が設けられている。
【０３２８】
一方、ハウジング５２１の下面には、掛止部５２４と、回動制限部５２５と、移動案内部５３６を回動可能に支持する回転軸５２６６（５２６７，５２６８，５２６９）が挿入される挿入孔５２１３，５２１４，５２１５と、が設けられている。
【０３２９】
ハウジング５２１の上面の前方には、加圧部５２２が挿入されて支持され、加圧部５２２の前後方向の移動を案内するガイド孔５２１６が設けられている。
【０３３０】
ハウジング５２１の内部には、第２弾性部材５２９２が掛かって支持される支持棒５２１７が設けられている。第２弾性部材５２９２は、コイルバネの形態にするとよい。
【０３３１】
第２弾性部材５２９２は、支持棒５２１７と回動制限部５２５の掛止突部５２５４とを連結する。
【０３３２】
そのため、第２弾性部材５２９２は、回動制限部５２５が外力（固定部材５５０の加圧による外力）によって回転した後に外力が消えると、回動制限部５２５を原位置に復帰させる。
【０３３３】
ハウジング５２１の後壁には、所定の締結部材が挿入されうる締結孔５２１８が設けられている。締結部材は、締結孔５２１８を通過してフレーム（図４参照、１１０）に結合される。
【０３３４】
掛止部５２４は、ボディ部５２４１と、ボディ部５２４１の一側に設けられている掛合溝５２４２と、ボディ部５２４１の上面に設けられている掛止突起５２４３と、掛合溝５２４２の反対側にそれぞれ形成される第１挿入溝５２４４及び第２挿入溝５２４５と、第１回転軸５２４７が挿入される第１回転軸孔５２４６と、ボディ部５２４１の下面から下方に延在する掛止ピン５２４７と、を備える。
【０３３５】
掛止突起５２４３には第１弾性部材５２９１の一端部が掛かり、第１弾性部材５２９１の他端部は、運動案内部５２６に設けられている掛止突起５２６５に掛かる。第１弾性部材５２９１もコイルバネ形態にすることが好ましい。
【０３３６】
そのため、運動案内部５２６が加圧部５２２に押されて回動運動をすると、該運動が弾性部材５２９１によって伝達されて掛止部５２４も回動運動をする。
【０３３７】
これにより、掛合溝５２４２が側方を見る状態で前方に動くことができる。
【０３３８】
第１回転軸５２６７は、挿入孔５２１５に挿入された状態で掛止部５２４の第１回転軸孔５２４６に挿入される。
【０３３９】
ただし、掛止部５２４の上下面には第１上部ボス５２７１と第１下部ボス５２８１とが設けられて、掛止部５２４をハウジング５２１の上下面から離間させる。
【０３４０】
回動制限部５２５は、ボディ部５２５１と、ボディ部５２５１から一側に折り曲がる形態で延在し、固定部材（図４参照、５５０）と接触可能に設けられる第１延長部５２５２と、第１延長部５２５２と異なる方向に延在する第２延長部５２５３と、を有する。
【０３４１】
ボディ部５２５１には第２回転軸孔５２５６が設けられ、第２延長部５２５３の端部には第２弾性部材５２９２が掛かる掛止突起５２５４が設けられている。
【０３４２】
第２延長部５２５３の上面には、上方に延在し、掛止部５２４の第２挿入溝５２４５に選択的に挿入される挿入部５２５５が設けられている。
【０３４３】
挿入部５２５５が第２挿入溝５２４５に挿入されると掛止部５２４の回動が制限されるが、これは、固定部材５５０と掛止部５２４とが分離される場合に相当する。
【０３４４】
第２回転軸５２６９は、第２回転軸孔５２５６に挿入された後に、挿入孔５２１４を通過するように配置される。
【０３４５】
ここで、回動制限部５２５の上面と下面には第２上部ボス５２７２及び第２下部ボス５２８２が設けられて、回動制限部５２５を支持し、且つハウジング５２１の下面と上面から離間させる。
【０３４６】
第２回転軸５２６９は、第２上部ボス５２７２、第２回転軸孔５２５６及び第２下部ボス５２８２を貫通して配置される。
【０３４７】
第２上部ボス５２７２及び第２下部ボス５２８２は、座金にしてもよい。
【０３４８】
運動案内部５２６は、ボディ部５２６１と、ボディ部５２６１から側方に延在し、加圧部５２２と接触するように設けられている接触片５２６３と、ボディ部５２６１から他の方向に延在し、掛止部５２４の第１挿入溝５２４４に選択的に挿入される挿入部５２６２と、ボディ部５２６１の上方に延在し、第２弾性部材５２９２が掛かる掛止突起５２６５と、を有する。
【０３４９】
そして、ボディ部５２６１の回動中心には、第３回転軸孔５２６４が設けられている。
【０３５０】
回転軸孔５２６４の上部と下部には、第３上部ボス５２７３と第３下部ボス５２８３が設けられている。
【０３５１】
そして、第３回転軸５２６８が設けられ、該第３回転軸５２６８は、挿入孔５２１３を通過し、第３下部ボス５２８３、第３回転軸孔５２６４、第３上部ボス５２７３を通過して運動案内部５２６を回動可能に支持する。
【０３５２】
図２６に示すように、フレーム１１０の上部には、第２ラッチ装置５３０が取り付けられている。
【０３５３】
第２ラッチ装置５３０には、ストッパ５３３と掛止ピン５３４７が設けられている。
【０３５４】
貯蔵室２０の上縁部には、ストッパ５２３が挿入されるストッパ溝１２１と、掛止ピン５３４７が挿入される掛止案内溝１２２とが設けられている。
【０３５５】
掛止案内溝１２２においてストッパ溝１２１の方向に「Ｃ」字状の延長溝が設けられている。
【０３５６】
貯蔵容器１００がドア３０に結着してドア３０と共に動く場合に、掛止ピン５３４７は、掛止案内溝１２２の延長溝に掛からないでドア３０の回動方向に自由に動くことができる。後述するが、貯蔵容器１００がドア３０から分離される場合には、掛止ピン５３４７が延長溝の方向に動いて延長溝の掛止突部１２２ａに引っ掛かることで、貯蔵容器１００が前方に移動することを防止する。
【０３５７】
一方、ストッパ５３３は、第２ラッチ装置５３０の下部に下方に延設され、棒またはローラ形態に形成されることが好ましい。
【０３５８】
ストッパ５３３は、貯蔵容器１００がドア３０と結着した状態で回動する中で、貯蔵室２０の前方を閉鎖する場合に、貯蔵容器１００が貯蔵室２０の方向に深く入らないように動きを制限する役割を果たす。
【０３５９】
ストッパ５３３がストッパ溝１２１の奥面に接することで、貯蔵容器１００が貯蔵室２０の方向に一定深さ以上入ることを防止することができる。
【０３６０】
図２７に示すように、第２ラッチ装置５３０は、中空の内部を有し、前方が開放されているハウジング５３１と、ハウジング５３１の内部に回動可能に設けられ、固定部材（図４または図１１参照、５５０）または掛止案内溝（図２６参照、１２２）に引っ掛かる掛止部５３４と、を備える。
【０３６１】
なお、第２ラッチ装置５３０は、ハウジング５３１の内部に回動可能に設けられ、掛止部５３４よりも下方に位置し、掛止部５３４と固定部材５５０との掛合解除状態または分離状態時に、掛止部５３４に挿入されて掛止部５３４の回動を制限する回動制限部５３５を備える。
【０３６２】
掛止部５３４の上面には掛止ピン５３４７が上方に延設され、掛止部５３４の側端部には、固定部材（図４または図１１参照、５５０）が掛かって支持される掛合溝５３４２が設けられている。
【０３６３】
【表５】
0005385429.tif 000006
【０３６４】
ハウジング５３１の上面と下面には、固定部材（図４参照、５５０）が挿入されるように案内する挿入案内溝５３１１が設けられている。
【０３６５】
ハウジング５３１の上面に設けられている挿入案内溝５３１１の一側には、掛止ピン５３４７の移動を案内する移動案内溝５３１２が設けられている。掛止部５３４が回動すると、掛止ピン５３４７も回動方向に沿って移動するが、移動案内溝５３１２は掛止ピン５３４７の移動軌跡に対応する領域を持つ。
【０３６６】
移動案内溝５３１２の領域は、図２６に示す掛止案内溝（図２４参照、１２２）の平面図の形状に対応することが好ましい。
【０３６７】
ハウジング５３１の上面には上方に延在するストッパ５３３が設けられており、該ストッパ５３３は円筒形状にするとよい。
【０３６８】
図２８は、第２ラッチ装置５３０の分解斜視図である。
【０３６９】
ハウジング５３１は、上述したように、上面と下面にそれぞれ挿入案内溝５３１１が設けられ、上面には移動案内溝５３１２が設けられている。
【０３７０】
一方、ハウジング５３１の下面には、掛止部５３４と、回動制限部５３５と、移動案内部５３６を回動可能に支持する回転軸５３６（５３６１，５３６２）が挿入される挿入孔５３１４，５３１５と、が設けられている。
【０３７１】
ハウジング５３１の内部には、弾性部材５３９２が掛かって支持される支持棒５３１７が設けられている。
【０３７２】
弾性部材５３９２は、支持棒５３１７と回動制限部５３５の掛止突起５３５４とを連結する。
【０３７３】
そのため、弾性部材５３９２は、回動制限部５３５が外力（固定部材５５０の加圧による外力）によって回転した後に外力が消えると、回動制限部５３５を原位置に復帰させる。
【０３７４】
ハウジング５３１の後壁には、所定の締結部材が挿入されうる固定孔５３１８が設けられている。
【０３７５】
締結部材は、固定孔５３１８を通過してフレーム（図４参照、１１０）に結合される。
【０３７６】
掛止部５３４は、ボディ部５３４１と、ボディ部５３４１の一側に設けられている掛合溝５３４２と、掛合溝５３４２の反対側にそれぞれ形成される第１挿入溝５３４４及び第２挿入溝５３４５と、第１回転軸５３６１が挿入される第１回転軸孔５３４６と、ボディ部５３４１の上面から上方に延在する掛止ピン５３４７と、を備える。
【０３７７】
固定部材（図４参照、５５０）が掛合溝５３４２に掛かって支持されている状態では、掛合溝５３４２は側方を見、固定部材５５０が離脱して掛合溝５３４２から分離された場合には、掛合溝５３４２が前方を見るように構成される。
【０３７８】
第１回転軸５３６１は、挿入孔５３１５に挿入された状態で掛止部５３４の第１回転軸孔５３４６に挿入される。
【０３７９】
掛止部５３４の上下面には、第１上部ボス５３７１と第１下部ボス５３８１が設けられ、掛止部５３４をハウジング５３１の上下面から離間させる。
【０３８０】
回動制限部５３５は、ボディ部５３５１と、ボディ部５３５１から一側に折り曲がる形態で延在し、固定部材（図４または図１１参照、５５０）と接触可能に設けられる第１延長部５３５２と、第１延長部５３５２と異なる方向に延在する第２延長部５３５３と、を有する。
【０３８１】
ボディ部５３５１には第２回転軸孔５３５６が設けられ、第２延長部５３５３の端部には弾性部材５３９２が掛かる掛止突起５３５４が設けられている。
【０３８２】
第２延長部５３５３の上面には、上部に延在し、掛止部５３４の第２挿入溝５３４５に選択的に挿入される挿入部５３５５が設けられている。
【０３８３】
挿入部５３５５が第２挿入溝５３４５に挿入される場合に、掛止部５３４の回動が制限されるが、これは、固定部材５５０と掛止部５３４とが分離される場合に相当する。
【０３８４】
第２回転軸５３６２は、第２回転軸孔５３５６に挿入された後に、挿入孔５３１４を通過するように配置される。
【０３８５】
ここで、回動制限部５３５の上面と下面には、第２上部ボス５３７２及び第２下部ボス５３８２が設けられて、回動制限部５３５を支持し、且つハウジング５３１の下面と上面から離間させる。
【０３８６】
第２回転軸５３６２は、第２上部ボス５３７２、第２回転軸孔５３５６及び第２下部ボス５３８２を貫通して配置される。
【０３８７】
第２上部ボス５３７２及び第２下部ボス５３８２は、座金にしてもよい。
【０３８８】
上述した第１、２ラッチ装置５２０，５３０は機械式の例にしたが、これらのラッチ装置は、電気式または電子式にしてもよく、より具体的にはソレノイド装置の形態にしてもよい。
【０３８９】
特に、ドア３０に設けられる制御装置であるラッチスイッチ装置６００とラッチ装置とが連動し、ラッチスイッチ装置６００の操作に応じてラッチ装置が貯蔵容器１００と本体１０とを連結させたり、または貯蔵容器１００とドア３０とを連結させたりすることができる。
【０３９０】
図２８に示す第２ラッチ装置５３０と図２５に示す第１ラッチ装置５２０との相違点は、第２ラッチ装置５３０には、第１ラッチ装置５２０における運動案内部５２６及び加圧部５２２が省かれているという点である。
【０３９１】
すなわち、運動案内部５２６は、掛止部５２４の回動運動を案内したり、掛止部５２４の第１挿入溝５２４４に挿入されたりする機能を有する。
【０３９２】
特に、運動案内部５２６が第１挿入溝５２４４に挿入されると、掛止部５２４の掛合溝５２４２が前方に向くように配置されることが防止される。
【０３９３】
そのため、掛合溝５２４２に固定部材５５０が挿入されて引っ掛かった状態になり、運動案内部５２６が第１挿入溝５２４４に挿入されると、固定部材５５０が掛止部５２４から離脱されることが防止される。
【０３９４】
すなわち、このような掛止部５２４と運動案内部５２６との相互作用により、第１ラッチ装置５２０が積極的に固定部材５５０との固定状態を保持することが可能になる。
【０３９５】
また、加圧部５２２がラッチスイッチ装置６００と連動し、加圧部５２２が押されると運動案内部５２６を押し、運動案内部５２６と掛止部５２４との掛合状態を解除することができる。
【０３９６】
この状態では掛止部５２４の回動が自由になるため、使用者がドア３０を引くと、掛止部５２４が前方に回動しながら固定部材５５０が掛止部５２４から離脱可能である。
【０３９７】
その結果、第１ラッチ装置５２０から固定部材５５０が離脱可能となる。
【０３９８】
なお、受動的に動く第２ラッチ装置５３０と固定部材５５０も互いに分離されることで、貯蔵容器１００とドア３０とが分離される。
【０３９９】
図２９に示すように、ドア３０の前方には取手３２が設けられており、取手３２の上にはボタン６１０が設けられている。
【０４００】
ドア３０の背面周縁にはシーリング部材３１が設けられている。
【０４０１】
シーリング部材３１は、ガスケットとすることができる。
【０４０２】
ドア３０の背面には、取手３２と連結されるラッチスイッチ装置６００が設けられているが、ラッチスイッチ装置６００には解除ピン６５０が設けられている。
【０４０３】
ラッチスイッチ装置６００の内部には、ボタン６１０の動作に応じて動くリンク部材（図示せず）が設けられており、このリンク構造の端部に解除ピン６５０が配置される。
【０４０４】
そのため、ボタン６１０が押されるとリンク部材が動き、これによって解除ピン６５０が後方に移動し、第１ラッチ装置５２０の加圧部（図２４参照、５２２）を押す。
【０４０５】
ラッチスイッチ装置６００の下部には、固定部材５５０が設けられており、該固定部材５５０は、ドア３０の背面から後方に延在する延長脚５５１と、延長脚５５１の先端に設けられている固定ピン５５２と、を有する。
【０４０６】
延長脚５５１は、上下に相互に離れて設けられ、固定ピン５５２は上下に設けられている延長脚５５１の先端に設けられる。
【０４０７】
延長脚５５１は、相互に離れて所定の空間を形成する。
【０４０８】
固定ピン５５２が第１ラッチ装置５２０の掛合溝（図２４、図２５参照、５２４２）に掛かって支持される。
【０４０９】
<上下同時回動ラッチ装置>
図３０では、第１、２ラッチ装置５２０，５３０が所定の連結部１５００によって連結されて同時に動作できる実施例を示す。
【０４１０】
図３０には、正面で見て、ドア３０の左下側の隅部に装着される取手３２と、貯蔵容器１００の左下側の隅部と左上側の隅部に設けられる第１、２ラッチ装置５２０，５３０と、貯蔵容器１００の右下側の隅部と右上側の隅部に設けられる第１、２ガイド支持部５１０，５４０と、を備える。
【０４１１】
第１ラッチ装置５２０と第２ラッチ装置５３０は、ドア３０の回動部の位置の反対側に配置されることが好ましい。
【０４１２】
第１、２ラッチ装置５２０，５３０の反対側には、第１、２ガイド支持部５１０，５４０が設けられている。
【０４１３】
ドア３０の取手が取り付けられている部分には、第１ラッチ装置５２０を加圧して第１ラッチ装置５２０を動作させるラッチスイッチ装置６００が設けられる。このラッチスイッチ装置６００が制御装置を構成する。
【０４１４】
ラッチスイッチ装置６００は、ボタン６１０と連動してドア３０の後方に力を加え、ラッチスイッチ装置６００の動作によって第１ラッチ装置５２０が動作し、これによってドア３０と貯蔵容器１００との結合状態または掛合状態を解除することができる。
【０４１５】
すなわち、ボタン６１０が押されないと、ドア３０と貯蔵容器１００との間に結合状態または掛合状態が維持され、ボタン６１０が押されると、ドア３０と貯蔵容器１００との間の結合状態または掛合状態が解除され、貯蔵容器１００と本体１０とが結合または掛合状態となる。
【０４１６】
取手３２はドア３０の一側面にネジで結合するとよく、取手３２には、取手３２をなす垂直の棒から水平方向に延在してドアの一側面に締結されるように構成された延長部が設けられている。そして、ラッチスイッチ装置６００は、ドア３０の取手３２が締結される部位近傍においてドア３０の内部に埋設されることが好ましい。
【０４１７】
また、ドア３０の周縁部には、ラッチ装置５２０，５３０及びガイド支持部５１０，５４０に挿入されて結合または掛止される固定部材５５０が、ドア３０の背面から後方に突出して締結されている。
【０４１８】
固定部材５５０は、貯蔵容器１００のラッチ装置５２０，５３０に選択的に挿入され第１、２ラッチ装置５２０，５３０に引っ掛かることで、貯蔵容器１００がドア３０に装着されるようにする。
【０４１９】
そのため、ドア３０が回動する時に、ラッチ装置５２０，５３０と固定部材５５０との結合により、貯蔵容器１００もドア３０と共に回動運動可能になる。
【０４２０】
固定部材５５０は、第１、２ラッチ装置５２０，５３０の位置に対応してドア３０背面に配置されると好ましい。
【０４２１】
取手３２にはラッチスイッチ装置６００を作動させるボタン６１０が設けられており、ラッチスイッチ装置６００の内部に設けられるリンク部材（図示せず）により、ラッチ装置５２０，５３０のうち、冷蔵庫の正面から見て貯蔵容器１００の左下側に配置されているラッチ装置５２０を押してそのロック状態が解除されるようにする。
【０４２２】
そのため、使用者がドア３０の取手３２におけるボタン６１０を押し、ラッチスイッチ装置６００を介してラッチ装置５２０のロック状態を解除した後に、ドア取手３２を引くと、貯蔵容器１００は本体１０に装着された状態を維持し、ドア３０のみ回動して開くこととなる。
【０４２３】
第１ラッチ装置５２０と第２ラッチ装置５３０は、連結部１５００によって連結されて、相互連動して同時に作動できるような構成とすることが好ましい。
【０４２４】
第１ラッチ装置５２０は、フレーム１１０一側（冷蔵庫の正面では左側）の下部に設けられ、第２ラッチ装置５３０は、フレーム１１０の一側（冷蔵庫の正面で左側）の上部に設けられる。
【０４２５】
連結部１５００は、上下方向に配置され、第１、２ラッチ装置５２０，５３０を上下方向に連結することができる。
【０４２６】
ここでは、第１ラッチ装置５２０が主動、第２ラッチ装置５３０が従動になることが好ましいが、これは、ラッチスイッチ装置６００が第１ラッチ装置５２０に隣接して配置されているためである。ただし、このような位置や主動、従動の関係は置き換えてもよい。
【０４２７】
第１、２ガイド支持部５１０，５４０は、ドア３０背面に設けられる他の固定部材ら５５０が掛かって支持されるように構成する。
【０４２８】
これらの固定部材５５０は、ドア３０の背面の４個の隅部に設けられているが、ドアの回動部に隣接する箇所には、第１、２ガイド支持部５１０，５４０に挿入可能な固定部材５５０が設けられる。
【０４２９】
ドア３０の回動部の反対側には、第１、２ラッチ装置５２０，５３０に挿入されて引っ掛かる固定部材５５０が設けられる。
【０４３０】
各固定部材５５０は、上下方向に２個ずつ設けられるとよい。図３１に示すように、フレーム１１０には、第１ラッチ装置５２０が設けられている。第１ラッチ装置５２０はローラ装置３００の一側に配置されている。
【０４３１】
第１ラッチ装置５２０にはストッパ５２３と掛止ピン５２４７が設けられている。
【０４３２】
貯蔵室２０の下縁部または引出し２３の上部には、ストッパ５２３が挿入されるストッパ溝１１１と、掛止ピン５２４７が挿入される掛止案内溝１１２が設けられている。
【０４３３】
掛止案内溝１１２においてストッパ溝１１１の方向に「Ｃ」字状の延長溝が設けられている。
【０４３４】
貯蔵容器（第１対象物）１００がドア（第３対象物）３０に結着してドア３０と共に動く場合に、掛止ピン５２４７は、掛止案内溝１１２の延長溝に掛からないでドア３０の回動方向に自由に動くことができる。
【０４３５】
後述するが、貯蔵容器１００がドア３０から分離される場合は、掛止ピン５２４７が延長溝の方向に動き、延長溝の掛止突部１１２ａに引っ掛かることで、貯蔵容器１００が前方に移動することを防止する。
【０４３６】
一方、ストッパ５２３は、第１ラッチ装置５２０の下部に下方に延長して設けられ、棒またはローラ形態に形成されることが好ましい。
【０４３７】
ストッパ５２３は、貯蔵容器１００がドア３０と結着した状態で回動する中で、貯蔵室（第２対象物）２０の前方を閉鎖する場合に、貯蔵容器１００が貯蔵室２０の方向に深く入らないように動きを制限する役割を果たす。
【０４３８】
ストッパ５２３がストッパ溝１１１の奥面に接することで、貯蔵容器１００が貯蔵室２０の方向に一定深さ以上入ることが防止される。
【０４３９】
第１ラッチ装置５２０の上部には連結部１５００を回動可能に設けることができ、連結部１５００は、第２ラッチ装置（図３０参照、５３０）と連結される。図３２に示すように、フレーム１１０の上部には第２ラッチ装置５３０が設けられている。
【０４４０】
第２ラッチ装置５３０には、ストッパ５３３と掛止ピン５３４７が設けられている。
【０４４１】
貯蔵室２０の上縁部には、ストッパ５２３が挿入されるストッパ溝１２１と、掛止ピン５３４７が挿入される掛止案内溝１２２とが設けられている。
【０４４２】
掛止案内溝１２２においてストッパ溝１２１の方向に「Ｃ」字状の延長溝が設けられている。
【０４４３】
貯蔵容器１００がドア３０に結着してドア３０と共に動く場合に、掛止ピン５３４７は、掛止案内溝１２２の延長溝に掛からないでドア３０の回動方向に自由に動くことができる。
【０４４４】
後述するが、貯蔵容器１００がドア３０から分離される場合には、掛止ピン５３４７が延長溝の方向に動いて延長溝の掛止突部１２２ａに引っ掛かることで、貯蔵容器１００が前方に移動することを防止する。
【０４４５】
一方、ストッパ５３３は、第２ラッチ装置５３０の下部に下方に延設され、棒またはローラ形態に形成されることが好ましい。
【０４４６】
ストッパ５３３は、貯蔵容器１００がドア３０と結着した状態で回動する中で、貯蔵室２０の前方を閉鎖する場合に、貯蔵容器１００が貯蔵室２０の方向に深く入らないように動きを制限する役割を果たす。
【０４４７】
ストッパ５３３がストッパ溝１２１の奥面に接することで、貯蔵容器１００が貯蔵室２０の方向に一定深さ以上入ることを防止することができる。
【０４４８】
第２ラッチ装置５３０の下部には連結部１５００が回動可能に設けられ、連結部１５００によって第２ラッチ装置５３０と第１ラッチ装置５２０とが連結される。
【０４４９】
上述したように、第１ラッチ装置５２０が動作して連結部１５００が動くと、第２ラッチ装置５３０も同時に同一方向に動くことができる。
【０４５０】
図３３に示すように、第１ラッチ装置５２０は、中空の内部を有し、前方が開放されているハウジング５２１と、ハウジング５２１の内部に回動可能に設けられ、固定部材（図２９参照、５５０）または掛止案内溝（図３１参照、１１２）に引っ掛かる掛止部５２４と、を備える。
【０４５１】
また、第１ラッチ装置５２０は、ハウジング５２１の内部に回動可能に設けられ、掛止部５２４よりも下方に位置し、掛止部５２４と固定部材５５０との掛合解除状態または分離状態時に、掛止部５２４に挿入されて掛止部５２４の回動を制限する回動制限部５２５を備える。
【０４５２】
一方、ハウジング５２１の内部には、掛止部５２４と第１弾性部材（図３４参照、５２９１）によって連結されて、掛止部５２４の回動運動を案内する運動案内部（図３３参照、５２６）が設けられている。
【０４５３】
ハウジング５２１の前方には、運動案内部５２６を加圧して運動案内部５２６を回動させる加圧部５２２が設けられている。
【０４５４】
加圧部５２２は、ラッチスイッチ装置（図３０参照、６００）と接触可能に設けられ、ラッチスイッチ装置６００の押す動作によってハウジング５２１の内側へ移動して、運動案内部５２６を移動させ、結局として掛止部５２４を回動させる。
【０４５５】
掛止部５２４の下面には、掛止ピン５２４７が下方に延設され、掛止部５２４の側端部には固定部材（図２８参照、５５０）が掛かって支持される掛合溝５２４２が設けられている。
【０４５６】
【表６】
0005385429.tif 000007
【０４５７】
ハウジング５２１の上面と下面には、固定部材（図２９参照、５５０）が挿入されるように案内する挿入案内溝５２１１が設けられている。
【０４５８】
ハウジング５２１の下面に設けられる挿入案内溝５２１１の一側には、掛止ピン５２４７の移動を案内する移動案内溝５２１２が設けられている。掛止部５２４が回動すると、掛止ピン５２４７も回動方向に沿って移動するが、移動案内溝５２１２は掛止ピン５２４７の移動軌跡に対応する領域を持つ。
【０４５９】
移動案内溝５２１２の領域は、図３１に示す掛止案内溝（図３１参照、１１２）の平面図の形状に対応することが好ましい。
【０４６０】
ハウジング５２１の下面には下方に延在するストッパ５２３が設けられており、該ストッパ５２３は円筒形状にするとよい。
【０４６１】
一方、連結部１５００は、ハウジング５２１の上面を貫通して上部に延設される。連結部１５００は、上下に長い軸形態にすることが好ましい。
【０４６２】
連結部１５００によって第１ラッチ装置５２０と連結される第２ラッチ装置５３０も、中空の内部を有し、前方が開放されているハウジング５３１と、ハウジング５３１の内部に回動可能に設けられ、固定部材（図３０参照、５５０）または掛止案内溝（図３１参照、１２２）に引っ掛かる掛止部５３４と、を備える。
【０４６３】
なお、第２ラッチ装置５３０は、ハウジング５３１の内部に回動可能に設けられ、掛止部５３４よりも下方に位置し、掛止部５３４と固定部材５５０との掛合解除状態または分離状態時に、掛止部５３４に挿入されて掛止部５３４の回動を制限する回動制限部５３５を備える。
【０４６４】
一方、ハウジング５３１の内部には、掛止部５３４と第１弾性部材（図３５参照、５３９１）によって連結されて、掛止部５３４の回動運動を案内する運動案内部（図３３参照、５３６）が設けられている。
【０４６５】
掛止部５３４の下面には掛止ピン５３４７が下方に延設され、掛止部５３４の側端部には、固定部材（図２８参照、５５０）が掛かって支持される掛合溝５３４２が設けられている。
【０４６６】
【表７】
0005385429.tif 000008
【０４６７】
ハウジング５３１の上面と下面には、固定部材（図２９参照、５５０）が挿入されるように案内する挿入案内溝５３１１が設けられている。
【０４６８】
ハウジング５３１の下面に設けられている挿入案内溝５３１１の一側には、掛止ピン５３４７の移動を案内する移動案内溝５３１２が設けられている。
【０４６９】
掛止部５３４が回動すると、掛止ピン５３４７も回動方向に沿って移動するが、移動案内溝５３１２は掛止ピン５３４７の移動軌跡に対応する領域を持つ。
【０４７０】
移動案内溝５３１２の領域は、図３２に示す掛止案内溝（図３２参照、１２２）の平面図の形状に対応することが好ましい。
【０４７１】
ハウジング５３１の下面には下方に延在するストッパ５３３が設けられており、該ストッパ５３３は円筒形状にするとよい。
【０４７２】
連結部１５００は、ハウジング５３１を貫通して回動可能に配置され、後述する運動案内部（図３５参照、５３６１）と連結される。
【０４７３】
そのため、第１ラッチ装置５２０の運動案内部（図３４参照、５２６１）と第２ラッチ装置５３０の運動案内部（図３５参照、５３６１）が相互連動できる。
【０４７４】
図３４は、第１ラッチ装置５２０の分解斜視図である。
【０４７５】
ハウジング５２１は、上述したように、上面と下面にそれぞれ挿入案内溝５２１１が設けられ、下面には移動案内溝５２１２が設けられている。一方、ハウジング５２１の下面には、掛止部５２４と、回動制限部５２５と、移動案内部５３６を回動可能に支持する回転軸５２６６（５２６７，５２６８，５２６９）が挿入される挿入孔５２１３，５２１４，５２１５と、が設けられている。
【０４７６】
ハウジング５２１の上面の前方には、加圧部５２２が挿入されて支持され、加圧部５２２の前後方向の移動を案内するガイド孔５２１６が設けられている。
【０４７７】
ハウジング５２１の内部には、第２弾性部材５２９２が掛かって支持される支持棒５２１７が設けられている。第２弾性部材５２９２は、コイルバネの形態にするとよい。
【０４７８】
第２弾性部材５２９２は、支持棒５２１７と回動制限部５２５の掛止突部５２５４とを連結する。
【０４７９】
そのため、第２弾性部材５２９２は、回動制限部５２５が外力（固定部材５５０の加圧による外力）によって回転した後に外力が消えると、回動制限部５２５を原位置に復帰させる。
【０４８０】
ハウジング５２１の後壁には、所定の締結部材が挿入されうる締結孔５２１８が設けられている。締結部材は、締結孔５２１８を通過してフレーム（図４参照、１１０）に結合される。
【０４８１】
掛止部５２４は、ボディ部５２４１と、ボディ部５２４１の一側に設けられている掛合溝５２４２と、ボディ部５２４１の上面に設けられている掛止突起５２４３と、掛合溝５２４２の反対側にそれぞれ形成される第１挿入溝５２４４及び第２挿入溝５２４５と、第１回転軸５２４７が挿入される第１回転軸孔５２４６と、ボディ部５２４１の下面から下方に延在する掛止ピン５２４７と、を備える。
【０４８２】
掛止突起５２４３には第１弾性部材５２９１の一端部が掛かり、第１弾性部材５２９１の他端部は、運動案内部５２６に設けられている掛止突起５２６５に掛かる。第１弾性部材５２９１もコイルバネ形態にすることが好ましい。
【０４８３】
そのため、運動案内部５２６が加圧部５２２に押されて回動運動をすると、該運動が弾性部材５２９１によって伝達されて掛止部５２４も回動運動をする。
【０４８４】
これにより、掛合溝５２４２が側方を見る状態で前方に動くことができる。
【０４８５】
第１回転軸５２６７は、挿入孔５２１５に挿入された状態で掛止部５２４の第１回転軸孔５２４６に挿入される。
【０４８６】
ただし、掛止部５２４の上下面には第１上部ボス５２７１と第１下部ボス５２８１とが設けられて、掛止部５２４をハウジング５２１の上下面から離間させる。
【０４８７】
回動制限部５２５は、ボディ部５２５１と、ボディ部５２５１から一側に折り曲がる形態で延在し、固定部材（図４参照、５５０）と接触可能に設けられる第１延長部５２５２と、第１延長部５２５２と異なる方向に延在する第２延長部５２５３と、を有する。
【０４８８】
ボディ部５２５１には第２回転軸孔５２５６が設けられ、第２延長部５２５３の端部には第２弾性部材５２９２が掛かる掛止突起５２５４が設けられている。
【０４８９】
第２延長部５２５３の上面には、上方に延在し、掛止部５２４の第２挿入溝５２４５に選択的に挿入される挿入部５２５５が設けられている。
【０４９０】
挿入部５２５５が第２挿入溝５２４５に挿入されると掛止部５２４の回動が制限されるが、これは、固定部材５５０と掛止部５２４とが分離される場合に相当する。
【０４９１】
第２回転軸５２６９は、第２回転軸孔５２５６に挿入された後に、挿入孔５２１４を通過するように配置される。
【０４９２】
ここで、回動制限部５２５の上面と下面には第２上部ボス５２７２及び第２下部ボス５２８２が設けられて、回動制限部５２５を支持し、且つハウジング５２０の下面と上面から離間させる。
【０４９３】
第２回転軸５２６９は、第２上部ボス５２７２、第２回転軸孔５２５６及び第２下部ボス５２８２を貫通して配置される。
【０４９４】
第２上部ボス５２７２及び第２下部ボス５２８２は、座金にしてもよい。
【０４９５】
運動案内部５２６は、ボディ部５２６１と、ボディ部５２６１から側方に延在し、加圧部５２２と接触するように設けられている接触片５２６３と、ボディ部５２６１から他の方向に延在し、掛止部５２４の第１挿入溝５２４４に選択的に挿入される挿入部５２６２と、ボディ部５２６１の上方に延在し、第２弾性部材５２９２が掛かる掛止突起５２６５と、を有する。
【０４９６】
そして、ボディ部５２６１の回動中心には、第３回転軸孔５２６４が設けられている。
【０４９７】
回転軸孔５２６４の上部と下部には、第３上部ボス５２７３と第３下部ボス５２８３が設けられている。
【０４９８】
そして、第３回転軸５２６８が設けられ、該第３回転軸５２６８は、挿入孔５２１３を通過し、第３下部ボス５２８３、第３回転軸孔５２６４、第３上部ボス５２７３を通過して運動案内部５２６を支持する。
【０４９９】
ここで、第３回転軸５２６８は、運動案内部５２６は共に動くように構成するとよい。そのため、第３回転軸５２６８は運動案内部５２６と同時に回転することが好ましい。
【０５００】
ここで、連結部１５００は、第３回転軸５２６８と連結されてもよく、第３回転軸５２６８と一体に形成されてもよい。
【０５０１】
こうすると、第３回転軸５２６８、連結部１５００及び運動案内部５２６は共に動くことができ、運動案内部５２６の回動運動により連結部１５００が回動する。
【０５０２】
一方、ハウジング５２１の上部には、連結部１５００が回動可能に挿入されて支持される連結孔５２１９が設けられている。
【０５０３】
図３５は、第２ラッチ装置５３０の分解斜視図である。
【０５０４】
ハウジング５３１は、上述したように、上面と下面にそれぞれ挿入案内溝５３１１が設けられ、上面には移動案内溝５３１２が設けられている。
【０５０５】
一方、ハウジング５３１の下面には、掛止部５３４と、回動制限部５３５と、移動案内部５３６を回動可能に支持する回転軸５３６６（５３６７，５３６８，５３６９）が挿入される挿入孔５３１３，５３１４，５３１５と、が設けられている。
【０５０６】
ハウジング５３１の内部には、第２弾性部材５３９２が掛かって支持される支持棒５３１７が設けられている。第２弾性部材５３９２は、コイルバネの形態にすることが好ましい。
【０５０７】
弾性部材５３９２は、支持棒５３１７と回動制限部５３５の掛止突起５３５４とを連結する。
【０５０８】
そのため、第２弾性部材５３９２は、回動制限部５３５が外力（固定部材５５０の加圧による外力）によって回転した後に外力が消えると、回動制限部５３５を原位置に復帰させる。
【０５０９】
ハウジング５３１の後壁には、所定の締結部材が挿入されうる締結孔５３１８が設けられている。該締結部材は、締結孔５３１８を通過してフレーム（図４参照、１１０）に結合される。
【０５１０】
掛止部５３４は、ボディ部５３４１と、ボディ部５３４１の一側に設けられている掛合溝５３４２と、ボディ部５３４１の上面に設けられている掛止突起５３４３と、掛合溝５３４２の反対側にそれぞれ形成されている第１挿入溝５３４４及び第２挿入溝５３４５と、第１回転軸５３６７が挿入される第１回転軸孔５３４６と、ボディ部５３４１の上面から上方に延在する掛止ピン５３４７と、を有する。
【０５１１】
掛止突起５３４３には第１弾性部材５３９１の一端部が掛かり、第１弾性部材５３９１の他端部は、運動案内部５３６に設けられている掛止突起５３６５に掛かる。第１弾性部材５３９１もコイルバネ形態にすることが好ましい。
【０５１２】
そのため、運動案内部５３６が、第１ラッチ装置５２０の運動案内部５２６と連結されている連結部１５００によって回動運動をすると、該運動が弾性部材５３９１によって伝達されて掛止部５３４も回動運動をする。
【０５１３】
これにより、掛合溝５３４２が側方を見る状態で前方に動くことができる。
【０５１４】
第１回転軸５３６７は、挿入孔５３１５に挿入された状態で掛止部５３４の第１回転軸孔５３４６に挿入される。
【０５１５】
ただし、掛止部５３４の上下面には第１上部ボス５３７１と第１下部ボス５３８１とが設けられて、掛止部５３４をハウジング５３１の上下面から離間させる。
【０５１６】
回動制限部５３５は、ボディ部５３５１と、ボディ部５３５１から一側に折り曲がる形態で延在し、固定部材（図２９参照、５５０）と接触可能に設けられる第１延長部５３５２と、第１延長部５３５２と異なる方向に延在する第２延長部５３５３と、を有する。
【０５１７】
ボディ部５３５１には第２回転軸孔５３５６が設けられ、第２延長部５３５３の端部には第２弾性部材５３９２が掛かる掛止突起５３５４が設けられている。
【０５１８】
第２延長部５３５３の上面には、上方に延在し、掛止部５３４の第２挿入溝５３４５に選択的に挿入される挿入部５３５５が設けられている。
【０５１９】
挿入部５３５５が第２挿入溝５３４５に挿入されると掛止部５３４の回動が制限されるが、これは、固定部材５５０と掛止部５３４とが分離される場合に相当する。
【０５２０】
第２回転軸５３６９は、第２回転軸孔５３５６に挿入された後に、挿入孔５３１４を通過するように配置される。
【０５２１】
ここで、回動制限部５３５の上面と下面には第２上部ボス５３７２及び第２下部ボス５３８２が設けられて、回動制限部５３５を支持し、且つハウジング５３１の下面と上面から離間させる。
【０５２２】
第２回転軸５３６９は、第２上部ボス５３７２、第２回転軸孔５３５６及び第２下部ボス５３８２を貫通して配置される。
【０５２３】
第２上部ボス５３７２及び第２下部ボス５３８２は、座金にしてもよい。
【０５２４】
運動案内部５３６は、ボディ部５３６１と、ボディ部５３６１から側方に延在し、加圧部５３２と接触するように設けられている接触片５３６３と、ボディ部５３６１から他の方向に延在し、掛止部５３４の第１挿入溝５３４４に選択的に挿入される挿入部５３６２と、ボディ部５３６１の上方に延在し、第２弾性部材５３９２が掛かる掛止突起５３６５と、を有する。
【０５２５】
そして、ボディ部５３６１の回動中心には、第３回転軸孔５３６４が設けられている。回転軸孔５３６４の上部と下部には、第３上部ボス５３７３と第３下部ボス５３８３が設けられている。
【０５２６】
そして、第３回転軸５３６８が設けられ、該第３回転軸５３６８は、挿入孔５３１３を通過し、第３下部ボス５３８３、第３回転軸孔５３６４、第３上部ボス５３７３を通過して運動案内部５３６を回動可能に支持する。
【０５２７】
ここで、第３回転軸５３６８は運動案内部５３６と共に動くように構成することが好ましい。そのため、第３回転軸５３６８は運動案内部５３６と同時に回転できるようにすることが好ましい。
【０５２８】
連結部１５００は、第３回転軸５３６８に結合されてもよく、第３回転軸５３６８と一体に形成されてもよい。
【０５２９】
こうすると、第１回転軸５３６８、連結部１５００及び運動案内部５３６は共に動くことができ、連結部１５００が回動すると運動案内部５３６も回動する。
【０５３０】
上述した第１、２ラッチ装置５２０，５３０は機械式の例にしたが、これらのラッチ装置は、電気式または電子式にしてもよく、より具体的にはソレノイド装置の形態にしてもよい。
【０５３１】
特に、ドア３０に設けられる制御装置であるラッチスイッチ装置６００とラッチ装置とが連動し、ラッチスイッチ装置６００の操作に応じてラッチ装置が貯蔵容器１００と本体１０とを連結させたり、または貯蔵容器１００とドア３０とを連結させたりすることができる。
【０５３２】
図３６及び図３７は、第１ラッチ装置５２０の掛止部５２４及び運動案内部５２６、そして第２ラッチ装置５３０の掛止部５３４及び運動案内部５３６の連結状態を示す図である。
【０５３３】
図３６及び図３７に示すように、それぞれの運動案内部５２６，５３６は、上下方向に配置されており、運動案内部５２６，５３６は上下方向に配置される連結部１５００によって連結することができる。
【０５３４】
上述したように、運動案内部５２６，５３６はそれぞれの掛止部５２４，５３４と弾性部材（図示せず）によって連結され、該運動案内部５２６，５３６の回転運動に従って掛止部５２４，５３４が回転して固定部材５５０と選択的に連結または連結解除される。
【０５３５】
特に、第１ラッチ装置５２０に対応する加圧部５２２の動作によって、第１ラッチ装置５２０の運動案内部５２６が回動すると、該回動運動は第２ラッチ装置５３０の運動案内部５３６に伝達される。
【０５３６】
これにより、第１ラッチ装置５２０における運動案内部５２６の回動運動方向は、第２ラッチ装置５３０における運動案内部５３６と同一になる。
【０５３７】
そのため、第１ラッチ装置５２０の掛止部５２４の運動方向も、第２ラッチ装置５３０の掛止部５３４の運動方向と同一になる。
【０５３８】
これにより、第１ラッチ装置５２０と固定部材５５０との間の結合／分離、そして、第２ラッチ装置５３０と固定部材５５０との間の結合／分離が同時に起こることができる。
【０５３９】
ここで、説明していない図面符号１３０は貯蔵容器のカバー、３０はドアを表す。
【０５４０】
<ガイド支持部>
図３８に示すように、第１ガイド支持部５１０はフレーム１１０に取り付けられている。
【０５４１】
前方から見て、第１ガイド支持部５１０は、フレーム１１０の右下側に固定設置され、ドア３０の後方に設けられている固定部材５５０が挿入可能になっている。
【０５４２】
すなわち、ドア３０と貯蔵容器１００とが結着している状態でドア３０が回動する場合、固定部材５５０は、第１ガイド支持部５１０に挿入されたり離脱したりする。
【０５４３】
第１ガイド支持部５１０は、ハウジング５１１と、ハウジング５１１の内部に設けられる支持板５１２と、支持板５１２に設けられる挿入案内溝５１３と、支持板５１２の下部に設けられて下方に延在するストッパ５１４と、を備える。
【０５４４】
ここで、ストッパ５１４は、貯蔵室入口の下右側の縁部に設けられているストッパ溝１３１に挿入可能である。
【０５４５】
ストッパ５１４は、貯蔵容器１００がドア３０と結着している状態で回動する中で、貯蔵室２０前方を閉鎖する場合に、貯蔵容器１００が貯蔵室２０の方向に深く入らないように動きを制限する役割を果たす。
【０５４６】
ストッパ５１４がストッパ溝１３１の奥面に接することで、貯蔵容器１００が貯蔵室２０の方向に一定深さ以上入ることを防止することができる。
【０５４７】
ストッパ溝１３１は、ドアの回転軌跡に従う固定部材５５０の固定ピン５５２の回転軌跡に対応するように斜線方向に延在すると共に、その側壁が一定の曲率を持つように配置されることが好ましい。
【０５４８】
すなわち、ドア３０の回動部に近接する固定部材５５０の回転軌跡は曲線を描くため、このような軌跡に対応する曲率を持つ側壁とすることが好ましい。
【０５４９】
図３９に示すように、第２ガイド支持部５４０はフレーム１１０に取り付けられている。
【０５５０】
前方から見て、第２ガイド支持部５４０は、フレーム１１０の右上側に固定設置され、ドア３０の後方に設けられている固定部材５５０が挿入可能になっている。
【０５５１】
すなわち、ドア３０と貯蔵容器１００とが結着していない状態でドア３０が回動する場合に、固定部材５５０は、第２ガイド支持部５４０に挿入されたり離脱したりする。
【０５５２】
第２ガイド支持部５４０は、ハウジング５４１と、ハウジング５４１の内部に設けられている支持板５４２と、支持板５４２に設けられている挿入案内溝５４３と、ハウジング５４１の上部に設けられて上方に延在するストッパ５４４と、を備える。
【０５５３】
ここで、ストッパ５４４は、貯蔵室入口の右上側の縁部に設けられているストッパ溝１４１に挿入可能である。
【０５５４】
ストッパ５４４は、貯蔵容器１００がドア３０と結着している状態で回動する中で、貯蔵室２０の前方を閉鎖する場合に、貯蔵容器１００が貯蔵室２０の方向に深く入らないように動きを制限する役割を果たす。
【０５５５】
ストッパ５４４がストッパ溝１４１の奥面に接することで、貯蔵容器１００が貯蔵室２０の方向に一定深さ以上入ることを防止することができる。
【０５５６】
ストッパ溝１４１は、ドアの回転軌跡に従う固定部材５５０の固定ピン５５２の回転軌跡に対応するように斜線方向に延在し、且つ側壁が一定の曲率を持つように配置されることが好ましい。
【０５５７】
すなわち、ドア３０の回動部に近接する固定部材５５０の回転軌跡は曲線を描くため、このような軌跡に対応する曲率を持つ側壁とすることが好ましい。
【０５５８】
<ラッチスイッチ装置  基本>
図４０は、ドア取手の一側に装着されるラッチスイッチ装置のリンク構造を示す斜視図であり、図４１は、ラッチスイッチ装置の分解斜視図である。
【０５５９】
ラッチスイッチ装置６００は、ドア３０の取手３２に設けられているボタン６１０と、ボタンを押すことによるボタンの運動方向と作用点を、別の方向と位置に切り替えて伝達する運動切替装置と、を備えることで、第１ラッチ装置５２０のロック状態を選択的に解除する。
【０５６０】
ラッチスイッチ装置６００の運動切替装置は、ボタン６１０の押下に連動して回動するリンク部材６３０とすることができる。
【０５６１】
また、ラッチスイッチ装置６００は、リンク部材６３０に押されて第１ラッチ装置５２０のロック状態を解除して作動させる解除ピン６５０をさらに備えることができる。
【０５６２】
図４０に示すように、ボタン６１０は、ドア取手３２の上端部に突出するように装着され、使用者が取手３２を取って押すことができるようになっている。
【０５６３】
リンク部材６３０は、ドア３０の内部で回動可能に装着される。このリンク部材６３０は、図４１に示すように、棒状のリンク両端部が互い垂直に延長形成される。
【０５６４】
ここで、リンク部材６３０は、少なくとも一つの軸受けが連結されるメインロッドと、メインロッドの一端部から第１方向に延在し、先端がプッシュレバー６２０の垂直延長部６２３の一端部と連結される第１アームと、メインロッドの他端部から第２方向に延在し、先端が選択的に解除ピン６５０と接触可能に設けられる第２アームと、を備えることができる。
【０５６５】
リンク部材６３０が回動しながら解除ピン６５０を押すように構成される。解除ピン６５０は回動するリンク部材６３０により押され、第１ラッチ装置５２０の加圧部（図２４参照、５２２）を押すようになる。
【０５６６】
ラッチスイッチ装置６００は、ボタン６１０と連結され、押されるボタン６１０と共に動いてリンク部材６３０を回動させるプッシュレバー６２０をさらに備えることが好ましい。
【０５６７】
プッシュレバー６２０は、ボタン６１０と連結されており、使用者がボタンを押すと、ボタンと共に下方に動いてリンク部材６３０の一端部を回動させる。
【０５６８】
このプッシュレバー６２０は、図４１に示すように、ボタン６１０と連結されて取手３２内で上下にスライディングするスライディング部６２１と、スライディング部６２１の上端部で水平に延長形成された水平延長部６２２と、水平延長部６２２の端部から下方に延長形成された垂直延長部６２３と、垂直延長部６２３の下端部から突出形成され、リンク部材６３０の一端部が挿入されるリンク部材挿入部６２４と、を備えることが好ましい。
【０５６９】
また、プッシュレバー６２０は、スライディング部６２１の下端部に突起部６２５がさらに形成され、この突起部６２５が取手３２内におけるバネ６２６を加圧する構成とすることがより好ましい。
【０５７０】
また、ラッチスイッチ装置６００は、ドア３０の内部に埋め立てられるケース６８０をさらに備え、リンク部材６３０は、ケース内部に回動可能に装着されることが好ましい。
【０５７１】
ケース６８０は、図４１に示すように、向かい合って結合する第１ケース部６８１及び第２ケース６８２と、第２ケースの一側に結合して、解除ピン６５０を直線運動するように案内する第３ケース６８３と、からなることが好ましい。
【０５７２】
第１ケース部６８１及び第２ケース６８２には、互いにネジにより結合できるように複数の結合孔が形成され、第２ケース６８２には、別途にドア３０に結合できるように結合孔が形成されている。
【０５７３】
また、第３ケース６８３にも、第２ケース６８２と結合するための結合孔が形成されている。
【０５７４】
ドア３０は、内部に断熱材が発泡されるため、ケース６８０は発泡される断熱材がケース６８０の内部に入らないように密閉することが好ましい。
【０５７５】
リンク部材６３０は、第１ケース部６８１と第２ケース６８２とからなるケース６８０内に回動可能に装着され、この場合、リンク部材６３０を直接装着するよりは、２つの軸受け部材６３１，６３２を介してケース６８０に装着することが好ましい。
【０５７６】
リンク部材６３０の摩擦を軽減し、その回動運動を円滑にさせることができるためである。
【０５７７】
ラッチスイッチ装置６００は、解除ピン６５０を原位置に復元させるバネ６６０をさらに備えることが好ましい。
【０５７８】
リンク部材６３０が解除ピン６５０を押して加圧部５２２を押した後に、ボタン６１０を押す力が消えると、リンク部材６３０の回動力も消えるため、解除ピン６５０は元の状態に復帰する必要がある。
【０５７９】
そのために、バネ６６０が解除ピン６５０を囲むように挿入され、第３ケース６８３に対して圧縮されてから復元力により伸びながら解除ピン６５０を原位置に復帰させる。
【０５８０】
一方、解除ピン６５０は、第３ケース６８３内で直線運動するピン部材６５１と、該ピン部材の端部に結合されるプッシュ部材６５２と、からなることが好ましい。
【０５８１】
ここで、直線運動するピン部材６５１はプラスチックで形成し、加圧部５２２を押すプッシュ部材６５２は弾性のゴム材質で形成する等、両部材を、異なる材質で形成することができる。
【０５８２】
ラッチスイッチ装置６００は、ケース６８０内にスライディング可能に装着され、リンク部材６３０の回動運動を直線運動に切り替えて解除ピン６５０に伝達するスライダ６４０をさらに備えることができる。
【０５８３】
スライダ６４０は、リンク部材６３０の回動運動を解除ピン６５０の直線運動として円滑に伝達するために、第３ケース６８３内でスライディング運動する。
【０５８４】
このために、スライダ６４０は、リンク部材６３０の他端部を収容して接触するように一側に形成されたリンク収容部６４２と、両側部に突出形成されて、第３ケース６８３の内側面に形成されているガイド溝６８４に挿入されてスライディングするガイド突起６４４と、を有することが好ましい。
【０５８５】
解除ピン６５０は、スライダ６４０と結合して固定されることで、リンク部材６３０がスライダ６４０を押す時にスライダ６４０と共に動く。
【０５８６】
また、バネ６６０の一側は、第３ケース６８３の内面に支持され、バネ６６０の他側は、スライダ６４０のリンク収容部６４２の背面に支持される。
【０５８７】
そして、プッシュレバー６２０は、取手３２がドア３０の側面に結合されるように、取手３２の上端部から延びている延長部の内側面にガイド部６９０が形成されていることが好ましい。
【０５８８】
このガイド部６９０は、プッシュレバー６２０の上下運動を案内し、その上下運動の上限と下限を制限するように上端部と下端部に突部が形成されている。
【０５８９】
以下、図４２及び図４３を参照して、本発明のラッチスイッチ装置の作動を説明する。
【０５９０】
図４２は、ラッチスイッチ装置をリンク部材の軸方向から見た側面図であり、ボタンが押されていない状態を示し、図４３は、図４２のラッチスイッチ装置においてボタンを押してリンク部材が回動してある状態を示す側面図である。
【０５９１】
図４２に示すように、ボタン６１０が押されていない状態では、プッシュレバー６２０が押されないため、リンク部材６３０が回動しない状態にある。
【０５９２】
そのため、リンク部材６３０がスライダ６４０を押さず、ドア３０の内面から突出している解除ピン６５０が初期位置の状態を維持する。
【０５９３】
この状態で、ボタン６１０と結合しているプッシュレバー６２０は、バネ６２６により上方に付勢されているが、プッシュレバー６２０の上面が、ガイド部６９０の上端部に形成されている突部に当接することで、プッシュレバー６２０と結合しているボタン６１０がその装着部から上方に抜けることを防ぐ。
【０５９４】
ここで、解除ピン６５０を囲んで設けられているバネ６６０も、第３ケース６８３の内面に接触した状態でスライダ６４０をリンク部材６３０側に付勢している。
【０５９５】
これにより、リンク部材６３０は、プッシュレバー６２０の下部におけるバネ６２６、及び第３ケース６８３の内面とスライダ６４０との間におけるバネ６６０により、初期回動位置を維持している。
【０５９６】
以降、使用者がボタン６１０を押すと、図４３に示すように、プッシュレバー６２０が下方に移動しながらリンク部材６３０の一端部を所定角度回動させる。
【０５９７】
これにより、リンク部材６３０の他端部がスライダ６４０を所定距離押すと、バネ６６０が第３ケース６８３の内面に対して圧縮され、スライダ６４０と結合している解除ピン６５０がドア３０の内面からさらに突出しながら第１ラッチ装置（図２２、５２０）の加圧部（図２２、５２２）を押すようになる。
【０５９８】
加圧部（図２２、５２２）が押されると、上述したように、第１ラッチ装置５２０のロック状態が解除され、固定部材５５０の固定ピン５５２が第１ラッチ装置５２０から抜けるようになる。
【０５９９】
第１ラッチ装置（図２４、５２２）の具体的な動作については後述する。
【０６００】
使用者は、ボタン６１０を押して第１ラッチ装置（図２４、５２０）のロック状態を解除してからドア３０を開くと、第１ラッチ装置（図２４、５２０）から固定部材（図２７、５５０）が抜けるため、貯蔵容器１００が冷蔵室２０に結合された状態でドア３０から分離され、ドア３０のみ開くことが可能になる。
【０６０１】
<ラッチスイッチ装置  開閉装置>
一方、本発明は、図４０乃至図４３に示すラッチスイッチ装置と異なる形態のラッチスイッチ装置を含むこともできる。
【０６０２】
ここで、他の形態のラッチスイッチ装置６００は、ドア３０が貯蔵室を開放した時に、ボタン６１０が押されることを防止する機能を有する。
【０６０３】
すなわち、ボタン６１０が押されると、上述したように、第１ラッチ装置５２０とドア（図２９、３０）の固定部材（図２９、５５０）との連結が解除され、これによって、貯蔵容器（図４、１００）がドア（図２９、３０）の内面から分離されて落ちることがあるため、ドア（図２９、３０）が開放されている状態では、ボタン６１０が押されて動作することを防止することが必要である。
【０６０４】
図４４は、他の形態のラッチスイッチ装置６００の内部の構造を示す斜視図であり、図４５は、その分解斜視図である。ここで、図４０乃至図４３に示すラッチスイッチ装置と同一の構成要素には同一の図面番号を付するものとする。
【０６０５】
まず、ラッチスイッチ装置６００は、ドア３０の取手に装着されているボタン６１０と、ボタン６１０の押下に連動して回動するリンク部材６３０と、リンク部材６３０により押されてラッチ装置５２０のロックを解除して作動させる解除ピン６５０と、を備えることが好ましい。
【０６０６】
図４４に示すように、ボタン６１０は、ドア取手３２の上端部に突出するように装着され、使用者が取手３２を取って押すことができるようになっている。
【０６０７】
リンク部材６３０は、ドア３０の内部で回動可能に装着される。
【０６０８】
リンク部材６３０は、図４４に示すように、棒状のリンク両端部が互い垂直に延長形成される。
【０６０９】
リンク部材６３０が回動しながら解除ピン６５０を押すように構成される。
【０６１０】
解除ピン６５０は回動するリンク部材６３０により押され、図２４に示す第１ラッチ装置５２０の加圧部（図２２参照、５２２）を押すようになる。
【０６１１】
ラッチスイッチ装置６００は、ボタン６１０と連結され、押されるボタン６１０と共に動いてリンク部材６３０を回動させるプッシュレバー６２０をさらに備えることが好ましい。
【０６１２】
プッシュレバー６２０は、ボタン６１０と連結されており、使用者がボタンを押すと、ボタンと共に下方に動いてリンク部材６３０の一端部を回動させる。
【０６１３】
このプッシュレバー６２０は、図４５に示すように、ボタン６１０と連結されて取手３２内で上下にスライディングするスライディング部６２１と、スライディング部６２１の上端部で水平に延長形成された水平延長部６２２と、水平延長部６２２の端部から下方に延長形成された垂直延長部６２３と、垂直延長部６２３の下端部から突出形成され、リンク部材６３０の一端部が挿入されるリンク部材挿入部６２４と、を備えることが好ましい。
【０６１４】
また、プッシュレバー６２０は、スライディング部６２１の下端部に突起部６２５がさらに形成され、この突起部６２５が取手３２内におけるバネ６２６を加圧する構成とすることがより好ましい。
【０６１５】
また、ラッチスイッチ装置６００は、ドア３０の内部に埋め立てられるケース６８０をさらに備え、リンク部材６３０は、ケース内部に回動可能に装着されることが好ましい。
【０６１６】
ケース６８０は、図４５に示すように、向かい合って結合する第１ケース部６８１及び第２ケース６８２と、第２ケースの一側に結合して、解除ピン６５０を直線運動するように案内する第３ケース６８３と、からなることが好ましい。
【０６１７】
第１ケース部６８１及び第２ケース６８２には、互いにネジにより結合できるように複数の結合孔が形成され、第２ケース６８２には、別途にドア３０に結合できるように結合孔が形成されている。
【０６１８】
また、第３ケース６８３にも、第２ケース６８２と結合するための結合孔が形成されている。
【０６１９】
ドア３０は、内部に断熱材が発泡されるため、ケース６８０は発泡される断熱材がケース６８０の内部に入らないように密閉することが好ましい。
【０６２０】
リンク部材６３０は、第１ケース部６８１と第２ケース６８２とからなるケース６８０内に回動可能に装着され、この場合、リンク部材６３０を直接装着するよりは、２つの軸受け部材６３１，６３２を介してケース６８０に装着することが好ましい。
【０６２１】
リンク部材６３０の摩擦を軽減し、その回動運動を円滑にさせることができるためである。
【０６２２】
ラッチスイッチ装置６００は、解除ピン６５０を原位置に復元させるバネ６６０をさらに備えることが好ましい。
【０６２３】
リンク部材６３０が解除ピン６５０を押して加圧部５２２を押した後に、ボタン６１０を押す力が消えると、リンク部材６３０の回動力も消えるため、解除ピン６５０は元の状態に復帰する必要がある。
【０６２４】
そのために、バネ６６０が解除ピン６５０を囲むように挿入され、第３ケース６８３に対して圧縮されてから復元力により伸びながら解除ピン６５０を原位置に復帰させる。
【０６２５】
一方、解除ピン６５０は、第３ケース６８３内で直線運動するピン部材６５１と、該ピン部材の端部に結合されるプッシュ部材６５２と、からなることが好ましい。
【０６２６】
ここで、直線運動するピン部材６５１はプラスチックで形成し、加圧部５２２を押すプッシュ部材６５２は弾性のゴム材質で形成する等、両部材を、異なる材質で形成することができる。
【０６２７】
ラッチスイッチ装置６００は、ケース６８０内にスライディング可能に装着され、リンク部材６３０の回動運動を直線運動に切り替えて解除ピン６５０に伝達するスライダ６４０をさらに備えることができる。
【０６２８】
スライダ６４０は、リンク部材６３０の回動運動を解除ピン６５０の直線運動として円滑に伝達するために、第３ケース６８３内でスライディング運動する。
【０６２９】
このために、スライダ６４０は、リンク部材６３０の他端部を収容して接触するように一側に形成されたリンク収容部６４２と、両側部に突出形成されて、第３ケース６８３の内側面に形成されているガイド溝６８４に挿入されてスライディングするガイド突起６４４と、を有することが好ましい。
【０６３０】
解除ピン６５０は、スライダ６４０と結合して固定されることで、リンク部材６３０がスライダ６４０を押す時にスライダ６４０と共に動く。
【０６３１】
また、バネ６６０の一側は、第３ケース６８３の内面に支持され、バネ６６０の他側は、スライダ６４０のリンク収容部６４２の背面に支持される。
【０６３２】
図４６に示すように、プッシュレバー６２０は、取手３２がドア３０の側面に結合されるように、取手３２の上端部から延びている延長部の内側面にガイド部６９０が形成されていることが好ましい。
【０６３３】
このガイド部６９０において左側部に形成されている第１ガイド部６９２は、プッシュレバー６２０の上下運動を案内し、その上下運動の上限と下限を制限するように上端部と下端部に突部が形成されている。
【０６３４】
ストッパ装置７００は、ドア３０が閉じる時に、本体１０の前面により押されてラッチスイッチ装置６００が作動できるようにする。
【０６３５】
そのための具体的な構成として、図４４及び図４６に示すように、ストッパ装置７００は、ドア３０が閉じる時に本体１０の前面により押されるプッシュバー７１０と、プッシュバー７１０の移動に連動して回動することでラッチスイッチ装置６００のロック状態を解除するストッパ７２０と、ストッパ７２０をロック位置に復元させるバネ７３０と、を有することが好ましい。
【０６３６】
プッシュバー７１０は、上記のガイド部６９０の右側に形成されてプッシュバー７１０の水平方向への移動を案内する第２ガイド部６９４に支持されて水平にスライディング移動することが好ましい。
【０６３７】
第２ガイド部６９４は、取手３２の延長部の右下側の隅部に形成され、プッシュバー７１０が挿入されてスライディングすることを案内する。
【０６３８】
プッシュバー７１０は、取手３２の延長部の右端部よりも突出するように装着されている。
【０６３９】
ストッパ７２０は、プッシュバー７１０と連結され、プッシュバー７１０の直線運動に連動して回動するようになっている。
【０６４０】
このストッパ７２０は、プッシュバー７１０が押されていない状態で、すなわち、プッシュバー７１０が取手３２側に移動せずに後方に突出している状態で、ラッチスイッチ装置６００のプッシュレバー６２０と接触してプッシュレバー６２０が下方に移動することを防止する構成となっている。
【０６４１】
バネ７３０は、ストッパ７２０をロック位置に復元させるように装着される。
【０６４２】
バネ７３０は、ストッパ７２０の回動軸７２４に装着されるトーションバネとすることが好ましい。
【０６４３】
ストッパ７２０の一端部はプッシュバー７１０の移動によって回動するように連結され、ストッパ７２０の他端部は、ラッチスイッチ装置６００の一側に突出している掛止爪（図４４参照、６２７）と噛み合って、ラッチスイッチ装置が作動しないようにロック状態を保持する折曲部７２６と、を有することが好ましい。
【０６４４】
プッシュバー７１０には、ストッパ７２０の一端部であるプッシュバーとの連結部７２２に突出形成された突起が挿入されるスロット７１２が、上下方向に形成されていることが好ましい。
【０６４５】
このスロット７１２は、プッシュバー７１０が直線運動をする時に、ストッパ７２０の連結部７２２に設けられている突起がスロット７１２内に挿入されて上下しながらストッパ７２０が回動運動できるようにする。
【０６４６】
ストッパ７２０の折曲部７２６は、回動軸７２４から下方に延びて左側に折り曲がることが好ましい。
【０６４７】
プッシュレバー６２０にはストッパ７２０の折曲部７２６に引っ掛かるように側方に突出している掛止爪６２７が形成されることが好ましい。
【０６４８】
掛止爪６２７は、上下に移動しながらストッパ７２０の折曲部７２６に引っ掛かる以外は、ストッパ７２０と干渉しないように形成されている。
【０６４９】
以下、図４６及び図４７を参照して、本発明のラッチスイッチ装置６００とストッパ装置７００の作動について説明する。
【０６５０】
図４６は、ラッチスイッチ装置６００とストッパ装置７００の作動を示すために、リンク部材６３０の軸方向から見た側面図であり、図４７は、図４６のラッチスイッチ装置６００とストッパ装置７００が作動した状態を示す側面図である。
【０６５１】
図４６に示すように、ドア３０が本体１０の前面に接して閉じない限り、ストッパ装置７００のプッシュバー７１０が押されず、ストッパ７２０はラッチスイッチ装置６００の作動を制限する初期位置に位置している。
【０６５２】
この時、プッシュレバー６２０の掛止爪６２７は、ストッパ７２０の折曲部７２６と噛み合うようになり、プッシュレバー６２０が下に移動することが制限される。
【０６５３】
そのため、使用者がボタン６１０を押そうとしても、このボタン６１０と結合しているプッシュレバー６２０が下に動くことができず、ボタン６１０は押されない。ボタン６１０が押されていない状態では、プッシュレバー６２０が押されず、リンク部材６３０が回動していない状態である。
【０６５４】
そのため、リンク部材６３０がスライダ６４０を押さず、解除ピン６５０は、ドア３０の内面から突出している初期位置に位置する状態となる。
【０６５５】
この状態では、ボタン６１０と結合したプッシュレバー６２０は、バネ（図２４、６２６）により上方に付勢されているが、プッシュレバー６２０の上面が、ガイド部６９０の上端部に形成されている突部に当接することで、プッシュレバー６２０と結合しているボタン６１０が上方に離脱することを防ぐ。
【０６５６】
ここで、解除ピン６５０を支持するように設けられているバネ６６０も、第３ケース６８３の内面に接触した状態でスライダ６４０をリンク部材６３０側に付勢している。
【０６５７】
これにより、リンク部材６３０は、プッシュレバー６２０の下部におけるバネ６２６、及び第３ケース６８３の内面とスライダ６４０との間におけるバネ６６０により、初期回動位置を維持している。
【０６５８】
したがって、ドア３０が本体１０を開放している状態では、ボタン６１０が動作しないため、第１ラッチ装置（図２４、５２０）の動作に影響を与えることができない。これにより、貯蔵容器１００とドア３０との連結関係が形成される場合に、その連結関係を安定して保持するこができる。
【０６５９】
以降、冷蔵庫のドア３０が本体１０に閉じられると、図４７に示すように、本体１０の前面がプッシュバー７１０を押して引き込ませる。
【０６６０】
こうすると、ストッパ７００が図示のように回動し、プッシュレバー６２０の掛止爪６２７が折曲部７２６に掛からず、下方に動けるような状態となる。
【０６６１】
この状態で、使用者がボタン６１０を押すと、図４６に示すように、プッシュレバー６２０が下方に移動しながらリンク部材６３０の一端部を所定角度回動させる。
【０６６２】
これにより、リンク部材６３０の他端部がスライダ６４０を所定距離押すと、バネ６６０が第３ケース６８３の内面に対して圧縮され、スライダ６４０と結合している解除ピン６５０がドア３０の内面からさらに突出しながら第１ラッチ装置５２０の加圧部５２２を押すようになる。
【０６６３】
加圧部５２２が押されると、上述したように、第１ラッチ装置（図２４参照、５２０）のロック状態が解除され、固定部材（図２９、５５０）の固定ピン５５２が第１ラッチ装置５２０から抜けるようになる。
【０６６４】
結果として、使用者は、ドア３０が閉じている状態でボタン６１０を押して第１ラッチ装置（図２２、５２０）のロック状態を解除してからドア３０を開くと、第１ラッチ装置（図２２、５２０）から固定部材５５０が抜けるため、貯蔵容器１００が冷蔵室２０に結合された状態でドア３０から分離され、ドア３０のみ開くことになる。
【０６６５】
これにより、図１に示すように、貯蔵容器（図１参照、１００）が前面に露出されて、使用者が物品を貯蔵容器１００から取り出したり貯蔵容器１００に収納したりすることが可能になる。
【０６６６】
一方、ボタン６１０を押す力が除去されると、ボタン（図４５、６１０）の下のバネ（図４５、６２６）がプッシュレバー６２０とボタン６１０を上方に押し上げて復帰させる。
【０６６７】
以下では、添付の図面を参照しつつ、本発明の具体的な動作について説明する。
【０６６８】
図４８Ａは、図２２に示す第１ラッチ装置５２０の平断面図であり、図４８Ｂは、図２７に示す第２ラッチ装置５３０の平断面図である。
【０６６９】
図２４の第１ラッチ装置５２０と図２７の第２ラッチ装置５３０は相互分離されており、これは、相互連結されている図３３の第１、２ラッチ装置５２０，５３０と区別しなければならない。
【０６７０】
まず、相互分離されている第１、２ラッチ装置５２０，５３０の動作について説明する。
【０６７１】
図４８Ａ及び図４８Ｂでは、貯蔵容器（図１、１００）がドア（図１、３０）に結着する状態とするために、第１、２ラッチ装置５２０，５３０に固定部材５５０が挿入されて支持される様子を示す。
【０６７２】
図４８Ａに示すように、固定部材５５０がハウジング５２１の挿入案内溝５２１１に挿入される。
【０６７３】
この状態で、固定部材５５０の固定ピン５５２が掛合溝５２４２に位置し、掛合溝５２４２の側壁が固定ピン５５２を取り囲むように配置される。
【０６７４】
すなわち、掛合溝５２４２が固定ピン５５２に対してストッパの役割を果たして、固定部材５５０が外に離脱することを防止する。
【０６７５】
この時、掛止部５２４の掛止ピン５２４７は、移動案内溝５２４４の右側に位置することで、掛止案内溝（図２３、１１２）に掛かることが防止される。これによって貯蔵容器１００と本体１０との結着が解除される。
【０６７６】
掛止部５２４が固定部材５５０を確実に支持するためには、この状態で掛止部５２４の回動を防止しなければならない。
【０６７７】
そのために、掛止部５２４の第１挿入溝５２４４に、運動案内部５２６に設けられている挿入部５２６２が挿入されて回動を防止する。
【０６７８】
一方、回動制限部５２５の第１延長部５２５２は、固定部材５５０の支持ピン５５２に押されて挿入案内溝５２１１から後方へ移動し、これにより回動制限部５２５が全体的に回動して位置する。
【０６７９】
図４８Ｂでも、固定部材５５０が第２ラッチ装置５３０のハウジング５３１の挿入案内溝５３１１に挿入されている様子を示す。
【０６８０】
この状態で、固定部材５５０の固定ピン５５２が掛合溝５３４２に位置し、掛合溝５３４２の側壁が固定ピン５５２を囲むように配置される。
【０６８１】
すなわち、掛合溝５３４２が固定ピン５５２に対してストッパの役割を果たして、固定部材５５０が外に離脱することを防止する。
【０６８２】
この場合に、掛止部５３４の掛止ピン５３４７は、移動案内溝５３４４の右側に位置しているため、掛止案内溝（図２６、１２２）に掛かることが防止される。
【０６８３】
これにより、貯蔵容器１００と本体１との結着が解除される。
【０６８４】
一方、回動制限部５３５の第１延長部５３５２は、固定部材５５０の支持ピン５５２に押されて挿入案内溝５３１１から後方に移動し、これにより、回動制限部５３５が全体的に回動して位置する。
【０６８５】
図４９で、第１、２ラッチ装置の掛止部５２４，５３４の位置は、図４８Ａ及び図４８Ｂの掛止部５２４，５３４の位置と同一であり、この時、ドア３０は本体の貯蔵室２０を閉鎖した状態を維持する。
【０６８６】
この時、掛止部５２４，５３４の掛止ピン５２４７，５３４７は掛止案内溝１１２，１２２の右側に位置することから、掛止案内溝１１２，１２２に掛かることが防止される。
【０６８７】
一方、ストッパ１１１，１２１はストッパ溝５２３，５３３に位置し、ストッパ溝５２３，５３３はストッパ１１１，１２１の後方と側方を囲んでいる。
【０６８８】
ただし、この状態でドア３０と貯蔵容器１００とが結着し、使用者がドア３０を引くと、ドア３０と貯蔵容器１００が同時に前方に回動し、貯蔵室２０が開放される（図３Ｂの状態を参考）。
【０６８９】
特に、掛止ピン５２４７，５３４７は掛止案内溝１１２，１２２の右側に位置するが、掛止案内溝１１２，１２２は前方に開放されている状態になるため、ドア３０及び貯蔵容器１００と共に前方に移動しても、掛止案内溝１１２，１２２に掛かることなく自由に移動することができる。
【０６９０】
これにより、ドア３０及び貯蔵容器１００を円滑に開放することが可能になる。
【０６９１】
図５０Ａに示すように、第１、２ラッチ装置の掛止部５２４，５３４は、固定部材５５０を捕まえる役割を果たす。
【０６９２】
掛止部５２４，５３４の掛合溝５２４２，５３４２は、固定部材５５０の固定ピン５５２を囲むことで、固定部材５５０が抜けることを防止する。
【０６９３】
これで、ドア３０と貯蔵容器１００とが結着することが可能になる。
【０６９４】
運動案内部５２６は、加圧部５２２の加圧動作によって動くもので、加圧部５２２が第１ラッチ装置５２０にのみ設けられているため、運動案内部５２６も第１ラッチ装置５２０にのみ設けられればよい。
【０６９５】
運動案内部５２６の挿入部５２６２は第１挿入溝５２４４に挿入されて掛止部５２４の回動を防止する。
【０６９６】
そして、運動案内部５２６に設けられる接触片５２６３は、加圧部５２２と接している状態を維持し、加圧部５２２が前進する場合にはいつでも回動でき、そのために、掛止部５２４の回動を誘発することができる。
【０６９７】
図５０Ｂに示すように、第１、２ガイド支持部５１０，５４０にも固定部材５５０が挿入される。第１、２ガイド支持部５１０，５４０に設けられている挿入案内溝５１３，５４３は、斜線形態に形成されている状態で、固定部材５５０の固定ピン５５２の移動を案内する。
【０６９８】
固定ピン５５２が挿入案内溝５１３，５４３の最後方に位置すると、固定ピン５５２の前方は、ハウジング５５１，５４１から延びた掛止突部５１６，５４６に遮られながら、固定ピン５５２が斜線方向でない正面方向に抜けることを防止する。
【０６９９】
図５１Ａは、第１ラッチ装置５２０から固定部材５５０が分離される中間過程を示す図であり、図５１Ｂは、第１ラッチ装置５２０から固定部材５５０が完全に分離されている状態を示す図である。
【０７００】
図４０または図４４に示す取手３２に設けられているボタン６１０を押すと、内部のリンク構造が動作し、解除ピン６５０が後方へ移動する。
【０７０１】
これにより、図５１Ａと図５１Ｂに示すように、解除ピン６５０によって加圧部５２２がハウジング５２１の内部に移動し、運動案内部５２６の延長部５２６３を加圧する。
【０７０２】
接触片５２６３が加圧されると、運動案内部５２６が回動をする。このとき、運動案内部５２６の回動方向は、同図では時計回り方向である。
【０７０３】
これによって、挿入部５２６３は、掛止部５２４の第１挿入溝５２４４から離脱する。
【０７０４】
掛止部５２４は、運動案内部５２６及び第２弾性部材５２９２と連結されているため、運動案内部５２６が時計回り方向に移動すると、運動案内部５２６によって引っ張られて掛止部５２４は反時計回り方向に回動する。
【０７０５】
そのため、掛合溝５２４２が側方から前方に回動し、これによって掛止ピン５２４７との掛合状態が解除され、掛止ピン５２４７が前方に移動できるような環境となる。
【０７０６】
一方、掛止部５２４が反時計回り方向に回動すると、掛止ピン５２４７は移動案内溝５２４４の左側に移動する。後述するが、これによって掛止案内溝（図２３、１１２）の左側に移動して掛止案内溝１１２の延長溝の掛止突部（図２３、１１２ａ）に囲まれるようになる。
【０７０７】
一方、回動制限部５２５の第１延長部５２５２は、固定部材５５０の固定ピン５５２と接触している状態であるが、回動制限部５２５は第１弾性部材５２９１に連結されている。第１弾性部材５２９１は第２延長部５２９２側に連結されており、第２延長部５２９２を引っ張る弾性復元力を提供し、これにより、回動制限部５２５は時計反対方向に回動しようとする性質を持つ。
【０７０８】
したがって、固定部材５５０が掛止部５２４と掛合状態が解除されると、回動制限部５２５は時計反対方向に回転しながら、第１延長部５２５２は掛止ピン５２４７を前方に押し出す。
【０７０９】
この状態で、使用者がドア（図１参照、３０）を前方に引くと、固定部材５５０は挿入案内溝５２１１から前方に抜け出る。
【０７１０】
そして、固定部材５５０が完全にラッチ装置５２０から離脱すると、回動制限部５２５が時計反対方向にさらに回転し、回動制限部５２５に設けられている挿入部５２５５が掛止部５２４に設けられている第２挿入溝５２４５に挿入される。
【０７１１】
これにより、掛止部５２４がさらに回動することを防止することができる。
【０７１２】
これによって、ドア３０と貯蔵容器１００とが分離されて貯蔵容器１００は本体１０に位置し、使用者がドア３０を引いて開放すると、貯蔵容器１００の前面が露出され、使用者が物品を収納したり取り出したりすることができる。
【０７１３】
第２ラッチ装置５３０は、第１ラッチ装置５２０において運動案内部５２６が省略されたもので、掛止部と固定部材間の結合及び分離は、第１ラッチ装置５２０と同一なので、第２ラッチ装置５３０と固定部材５５０との分離動作は、上述した第１ラッチ装置５２０と固定部材５５０との間の分離動作についての説明に代えるものとする。
【０７１４】
図５２に示す第１、２ラッチ装置の掛止部５２４，５３４の位置は、図５１Ａ及び図５１Ｂの掛止部５２４，５３４の位置と同一であり、この時、ドア３０は開放状態となり、貯蔵容器１００は貯蔵室２０入口に配置された状態となる。
【０７１５】
この時、掛止部５２４，５３４の掛止ピン５２４７，５３４７は、掛止案内溝１１２，１２２の左側に位置している延長溝に位置し、延長溝の前方縁に形成されている掛止突部１１２ａ，１２２ａに隣接して配置されることで、前方に移動することが制限される。
【０７１６】
一方、ストッパ５２３，５３３は、ストッパ溝１１１，１２１に位置し、ストッパ溝１１１，１２１はストッパ５２３，５３３の後方と側方を取り囲んでいる。
【０７１７】
この状態でドア３０と貯蔵容器１００とが分離され、使用者がドア３０を引くとドア３０のみ前方に回動し、貯蔵容器１００が開放される（図３Ｃの状態を参照）。
【０７１８】
掛止ピン５２４７，５３４７は、掛止案内溝１１２，１２２の左側に設けられている延長溝に位置するが、延長溝は、掛止突部１１２ａ，１２２ａによってその前方が遮られているため、ドア３０を前方に開放しても、掛止突部１１２ａ，１２２ａに掛止ピン５２４７，５３４７が掛かって前方に移動することが制限される。
【０７１９】
これにより、ドア３０の円滑に開放することができる。
【０７２０】
図５３Ａに示すように、第１、２ラッチ装置の掛止部５２４，５３４は、固定部材５５０から分離される。
【０７２１】
掛止部５２４，５３４の掛合溝５２４２，５３４２は前方に向いており、固定部材５５０の固定ピン５５２を取り囲むような状態が解除され、これによって固定部材５５０が前方に離脱することができる。
【０７２２】
これで、ドア３０と貯蔵容器１００とが分離される。
【０７２３】
運動案内部５２６は加圧部５２２の加圧動作によって動き、また、加圧部５２２が第１ラッチ装置５２０にのみ設けられるので、運動案内部５２６も第１ラッチ装置５２０にのみ設けられればいい。
【０７２４】
運動案内部５２６の挿入部５２６２は、第１挿入溝５２４４から離脱して掛止部５２４の回動を案内する。
【０７２５】
そして、運動案内部５２６に設けられている接触片５２６３は、加圧部５２２と接している状態を維持し、加圧部５２２が前進して、回動でき、これによって掛止部５２４の回動を誘発することができる。
【０７２６】
図５３Ｂに示すように、第１、２ガイド支持部５１０，５４０から固定部材５５０が離脱する。
【０７２７】
第１、２ガイド支持部５１０，５４０に設けられている挿入案内溝５１３，５４３は斜線形態で形成されている状態で、固定部材５５０の固定ピン５５２の離脱移動を案内する。
【０７２８】
第１、２ガイド支持部５１０に隣接した固定部材５５０は曲線を描きながら回動するため、斜線方向に形成されている挿入案内溝５１３，５４３の案内により前方に移動でき、これによって第１、２ガイド支持部５１０，５４０は固定部材５４０から分離することが可能になる。
【０７２９】
上記では貯蔵容器１００とドア３０とが結合している状態で分離される過程を説明したが、分離されている状態で再び結合する過程は、上記の過程と逆順にすればいい。
【０７３０】
上述したように、第１ラッチ装置５２０と固定部材５５０との結合及び分離過程は、実質的に第２ラッチ装置５３０と固定部材５５０との間の結合分離過程と類似しているので、第１ラッチ装置５２０に関する説明を、第２ラッチ装置５３０に関する説明に代えるものとする。
【０７３１】
すなわち、図５１Ｂのように固定部材５５０と第１ラッチ装置５３０とが分離されている状態で使用者がドア３０を押して、図５１Ａのように固定部材５５０をラッチ装置５２０に進入させる。
【０７３２】
固定部材５５０は、挿入案内溝５２１１に挿入され、回動制限部５２５の第１延長部５２５２を後方に押すようになる。
【０７３３】
そのため、回動制限部５２５は時計回り方向に回転し、これによって回動制限部５２５の挿入部５２５５が掛止部５２４の第２挿入溝５２４５から離脱する。
【０７３４】
これによって掛止部５２４は時計回り方向に回動可能になる。
【０７３５】
固定部材５５０の固定ピン５５２は、掛合溝５２４２に進入し、掛合溝５２４２を後方に押して掛止部５２４自体を時計回り方向に回転させる。
【０７３６】
掛止部５２４が時計回り方向に回転をすると、掛止部５２４と第２弾性部材５２９２によって連結されている運動案内部５２６が引っ張られる。
【０７３７】
これによって運動案内部５２６が反時計回り方向に回転する。
【０７３８】
したがって、第１挿入溝５２４４と運動案内部５２６の挿入部５２６２が近接する。
【０７３９】
そして、固定部材５５０が完全に進入すると、掛止部５２４の掛合溝５２４２は側方を見ることになり、固定ピン５５２は掛合溝５２４２に取り囲まれるようになる。
【０７４０】
そして、運動案内部５２６の挿入部５２６２が第１挿入溝５２４４に挿入されて掛止部５２４の回動を制限する。
【０７４１】
これで、固定部材５５０が掛止部５２４に完全に拘束され、前方に離脱することが防止される。
【０７４２】
図４８Ａ乃至図５３Ｂは、図２２に示す第１ラッチ装置５２０及び図２５に示す第２ラッチ装置５３０の動作と関連しているものである。
【０７４３】
図３３に示す相互連結されている第１、２ラッチ装置５２０，５３０の場合、その動作は実質的に図２４の第１ラッチ装置５２０と同一である。
【０７４４】
したがって、図３３に示す第１、２ラッチ装置５２０，５３０についての説明は、図２４に示す第１ラッチ装置５２０についての図４８Ａ乃至図５３Ｂによる説明に代えるものとする。
【０７４５】
図５４に示すように、貯蔵容器（図１参照、１００）が貯蔵室に配置されている場合では、第１、２ラッチ装置のストッパ５２３，５２４が、貯蔵室入口２４または引出し２３の上面に設けられているストッパ溝１１１，１２１に位置する。
【０７４６】
また、第１、２ガイド支持部に設けられているストッパ５１４、５４４は、貯蔵室入口２４または引出し２３の上面に支持されるストッパ溝１３１，１４１に位置する。
【０７４７】
ここで、第１、２ラッチ装置のストッパ５２３，５２４が挿入されるストッパ溝１１１，１２１と、第１、２ガイド支持部に設けられているストッパ５１４、５４４が挿入されるストッパ溝１３１，１４１は、異なる形状となっている。
【０７４８】
これは、ドア（図１参照、３０）及びドア３０に結合している貯蔵容器１００が回動する場合に、ドアのヒンジ部（図１参照、１３）に近接する箇所では微細な回動軌跡が曲線を描くが、回動部から遠い箇所では微細な回動軌跡が略直線の曲線を描くからである。
【０７４９】
したがって、ここで、第１、２ラッチ装置のストッパ５２３，５２４が挿入されるストッパ溝１１１，１２１は前方に開放されており、入口から奥側に向かって漸次狭まる形状となる。
【０７５０】
そして、上記入口は前方を見るように配置される。
【０７５１】
しかし、第１、２ガイド支持部に設けられているストッパ５１４，５４４が挿入されるストッパ溝１３１，１４１は、曲線軌跡に対応するように斜線方向に配置されており、入口も斜線方向を見るようになっている。
【０７５２】
第１、２ラッチ装置のストッパ５２３，５２４と、第１、２ガイド支持部に設けられているストッパ５１４，５４４は両方も、円形の断面を有すると好ましく、ストッパ溝１１１，１２１、１３１，１４１の後方形状は、第１、２ラッチ装置のストッパ５２３，５２４と、第１、２ガイド支持部に設けられているストッパ５１４，５４４に対応するように曲面形態となる。
【０７５３】
ただし、後方形状は、第１、２ラッチ装置のストッパ５２３，５２４と、第１、２ガイド支持部に設けられているストッパ５１４，５４４の形状によって他の形状にしてもよい。
【０７５４】
このような構造下で、ドア３０と貯蔵容器１００とが結合した状態で図５５のようにドア３０が開いていたが、ドア３０を閉じると、貯蔵容器１００が貯蔵室（図２参照、２０）の入口に位置する。
【０７５５】
ドア３０の押される力により貯蔵容器１００が貯蔵室２０の方向に押されて入ることとなる。
【０７５６】
この時、第１、２ラッチ装置のストッパ５２３，５２４と、第１、２ガイド支持部に設けられているストッパ５１４，５４４がストッパ溝１１１，１２１，１３１，１４１に進入し、ストッパ溝１１１，１２１，１３１，１４１の後方に掛かって図５５のような状態となる。
【０７５７】
これによって、第１、２ラッチ装置のストッパ５２３，５２４と、第１、２ガイド支持部に設けられているストッパ５１４，５４４は、それ以上貯蔵室の内部方向に進入することが防止され、これにより、貯蔵容器１００も貯蔵室の内部に所定距離以上進入することが防止される。
【０７５８】
図５６に示すように、第１、２ラッチ装置（図２２，図２５、図３１参照、５２０，５３０）によってドア３０と貯蔵容器１００とが結合している状態で、ドア３０が前方に引っ張られると、連結支持装置２００の回動部材２２０と貯蔵室２０の上部傾斜面１５との間の接触が解除される。
【０７５９】
したがって、回動部材２２０は連結部材２３０を加圧しなくなり、連結部材２３０は固定部２１０に掛かるようになる。
【０７６０】
まるでハンガーを洋服掛けに掛けて支持させるように、連結支持装置２００が固定部２１０に掛かるようになる。
【０７６１】
したがって、連結支持装置２００が配置される貯蔵容器１００は、連結支持装置２００によって固定部２１０に掛かって連結され、これによってドア３０の後方に配置された状態が保持される。
【０７６２】
これにより、連結支持装置２００及び第１、２ラッチ装置（図１３、図１６Ａ及び図１６Ｂ参照、５２０，５３０）によってドア３０と貯蔵容器１００との間の結合または連結関係を安定的に保持することができる。
【０７６３】
そのため、ドア３０を動かして回動させる場合に、貯蔵容器１００も共に動くことができ、ドア３０から脱去することを防止することができる。このように貯蔵容器１００とドア３０との間の結合または連結が維持された状態でドア３０を開放すると、貯蔵室２０が開放されるので、使用者は物品を貯蔵室２０内に収納したり貯蔵室２０から取り出したりすることができる。
【０７６４】
一方、図５７に示すように、第１、２ラッチ装置（図２４、図２７、図３３参照、５２０，５３０）によってドア３０と貯蔵容器１００が結合したり、分離されたりしている状態で、ドア３０が貯蔵室２０を閉鎖すると、連結支持装置２００のヒンジ部材２２０が貯蔵室２０の上部傾斜面１５に接触する。
【０７６５】
そのため、回動部材２２０は前方／下向に回動し、連結部材２３０を加圧することで、連結部材２３０は後方／上向に回動する。
【０７６６】
これにより、連結部材２３０と固定部２１０との間の連結状態または掛合状態が解除される。
【０７６７】
特に、第１、２ラッチ装置５２０，５３０とドア３０との間の連結関係が解除され、第１、２ラッチ装置５２０，５３０と本体１０との間の連結関係が具現された状態で、連結支持装置２００と固定部材５５０との間の連結関係が解除されると、貯蔵容器１００とドア３０との間のすべての連結関係が解除される。
【０７６８】
したがって、ドア３０を動かして回動させる場合に、貯蔵容器１００は貯蔵室２０の前方に配置されたままで、ドア３０のみ動く。
【０７６９】
したがって、貯蔵容器１００の前面が露出されるので、使用者は、貯蔵容器１００の前方に近づいて貯蔵容器１００に物品を収納したり、貯蔵容器１００から物品を取り出したりすることができる。
【０７７０】
上述したように、貯蔵容器支持アセンブリの構成は、連結支持装置２００、第１、２ラッチ装置５２０，５３０、及び第１、２ガイド支持部５１０，５４０で構成される。
【０７７１】
上述したように、貯蔵容器支持アセンブリが第１モードを行う場合には、ドア３０と貯蔵容器１００が相互連結されて一体に回動する（図２及び図３Ｂ参照）。
【０７７２】
この時には貯蔵室２０が開放され、使用者の接近が可能である。
【０７７３】
一方、貯蔵容器支持アセンブリが第２モードを行う場合には、ドア３０と貯蔵容器１００が相互分離され、本体１０と貯蔵容器１００とが連結され、ドア３０が開放されると貯蔵容器１００の前面入口部分が露出されるため、使用者は貯蔵容器１００への接近が可能である（図２及び図３Ｃ参照）。
【０７７４】
貯蔵容器支持アセンブリが第１モードを行う場合には、第１、２ラッチ装置５２０，５３０がドア３０の固定部材５５０と連結された状態を維持する。
【０７７５】
また、貯蔵容器支持アセンブリが第１モードを行う場合には、第１、２ガイド支持部５１０，５４０に固定部材５５０が挿入されて支持される状態となる。
【０７７６】
そして、貯蔵容器支持アセンブリが第１モードを行いながら、ドア３０が貯蔵室２０を開放した状態では、連結支持装置２００がドア３０に設けられている固定部２１０と連結状態となる。
【０７７７】
一方、貯蔵容器支持アセンブリが第２モードを行う場合には、ドア３０と貯蔵容器１００が相互分離され、本体１０と貯蔵容器１００とが連結される。
【０７７８】
この時、ドア３０を回動させても、貯蔵容器１００は本体１０の貯蔵室２０の入口に配置されてその位置を維持する。
【０７７９】
この場合、貯蔵容器１００が開放され、使用者の接近が可能である。
【０７８０】
貯蔵容器支持アセンブリが第２モードを行う場合には、第１、２ラッチ装置５２０，５３０がドア３０の固定部材５５０から分離され、貯蔵室２０の入口に設けられている掛止案内溝１１２，１２２に掛かった状態となる。
【０７８１】
また、貯蔵容器支持アセンブリが第２モードを行う場合には、第１、２ガイド支持部５１０，５４０に固定部材５５０が挿入されるが、この挿入状態が維持されるのではなく、ドア３０の開放時には、固定部材５５０が第１、２ガイド支持部５１０，５４０から離脱する。
【０７８２】
そして、貯蔵容器支持アセンブリが第２モードを行いながら、ドア３０が貯蔵室２０を開放した状態では、連結支持装置２００はドア３０に設けられている固定部２１０と連結されない状態となる。
【０７８３】
以上本発明の好適な実施例を説明したが、本発明の範囲は、このような特定実施例に限定されるものではなく、当該分野における通常の知識を有する者であれば、本発明の特許請求の範囲に記載された範ちゅう内で適宜の変更が可能であろう。
【図１】
0005385429.tif 000009
【図２】
0005385429.tif 000010
【図３Ａ】
0005385429.tif 000011
【図３Ｂ】
0005385429.tif 000012
【図３Ｃ】
0005385429.tif 000013
【図４】
0005385429.tif 000014
【図５】
0005385429.tif 000015
【図６】
0005385429.tif 000016
【図７Ａ】
0005385429.tif 000017
【図７Ｂ】
0005385429.tif 000018
【図８】
0005385429.tif 000019
【図９】
0005385429.tif 000020
【図１０】
0005385429.tif 000021
【図１１】
0005385429.tif 000022
【図１２】
0005385429.tif 000023
【図１３】
0005385429.tif 000024
【図１４】
0005385429.tif 000025
【図１５】
0005385429.tif 000026
【図１６Ａ】
0005385429.tif 000027
【図１６Ｂ】
0005385429.tif 000028
【図１７】
0005385429.tif 000029
【図１８】
0005385429.tif 000030
【図１９Ａ】
0005385429.tif 000031
【図１９Ｂ】
0005385429.tif 000032
【図２０】
0005385429.tif 000033
【図２１】
0005385429.tif 000034
【図２２】
0005385429.tif 000035
【図２３】
0005385429.tif 000036
【図２４】
0005385429.tif 000037
【図２５】
0005385429.tif 000038
【図２６】
0005385429.tif 000039
【図２７】
0005385429.tif 000040
【図２８】
0005385429.tif 000041
【図２９】
0005385429.tif 000042
【図３０】
0005385429.tif 000043
【図３１】
0005385429.tif 000044
【図３２】
0005385429.tif 000045
【図３３】
0005385429.tif 000046
【図３４】
0005385429.tif 000047
【図３５】
0005385429.tif 000048
【図３６】
0005385429.tif 000049
【図３７】
0005385429.tif 000050
【図３８】
0005385429.tif 000051
【図３９】
0005385429.tif 000052
【図４０】
0005385429.tif 000053
【図４１】
0005385429.tif 000054
【図４２】
0005385429.tif 000055
【図４３】
0005385429.tif 000056
【図４４】
0005385429.tif 000057
【図４５】
0005385429.tif 000058
【図４６】
0005385429.tif 000059
【図４７】
0005385429.tif 000060
【図４８Ａ】
0005385429.tif 000061
【図４８Ｂ】
0005385429.tif 000062
【図４９】
0005385429.tif 000063
【図５０Ａ】
0005385429.tif 000064
【図５０Ｂ】
0005385429.tif 000065
【図５１Ａ】
0005385429.tif 000066
【図５１Ｂ】
0005385429.tif 000067
【図５２】
0005385429.tif 000068
【図５３Ａ】
0005385429.tif 000069
【図５３Ｂ】
0005385429.tif 000070
【図５４】
0005385429.tif 000071
【図５５】
0005385429.tif 000072
【図５６】
0005385429.tif 000073
【図５７】
0005385429.tif 000074